(57)【特許請求の範囲】
【請求項１】
キャリアアグリゲーションを行うための端末装置（ＵＥ）であって、
プロセッサを備え、
前記プロセッサは、
セルごとの物理下りリンク共有チャネル（ＰＤＳＣＨ）ハイブリッド自動再送要求／肯定応答（ＨＡＲＱ−ＡＣＫ）送信タイミングを確定するように構成またはプログラム可能であり、少なくとも１つの周波数分割多重（ＦＤＤ）セルおよび少なくとも１つの時分割多重（ＴＤＤ）セルに関して、プライマリセルがＦＤＤセルであり、第１セルがＴＤＤセルである場合、当該第１セルに対する前記ＰＤＳＣＨ  ＨＡＲＱ−ＡＣＫ送信タイミングは、当該ＦＤＤセルのための前記ＰＤＳＣＨ  ＨＡＲＱ−ＡＣＫ送信タイミングに従い、
前記プロセッサは、さらに
ＰＤＳＣＨ  ＨＡＲＱ−ＡＣＫ情報を前記ＰＤＳＣＨ  ＨＡＲＱ−ＡＣＫ送信タイミングに基づいて送信するように構成またはプログラム可能である、
前記ＵＥ。
【請求項２】
前記ＰＤＳＣＨ  ＨＡＲＱ−ＡＣＫ情報は、物理上りリンク制御チャネル（ＰＵＣＣＨ）または物理上りリンク共有チャネル（ＰＵＳＣＨ）上のうちの１つで送信される、請求項１に記載のＵＥ。
【請求項３】
キャリアアグリゲーションを行うための基地局装置（ｅＮＢ）であって、
プロセッサを備え、
前記プロセッサは、
セルごとの物理下りリンク共有チャネル（ＰＤＳＣＨ）ハイブリッド自動再送要求／肯定応答（ＨＡＲＱ−ＡＣＫ）送信タイミングを確定するように構成またはプログラム可能であり、少なくとも１つの周波数分割多重（ＦＤＤ）セルおよび少なくとも１つの時分割多重（ＴＤＤ）セルに関して、プライマリセルがＦＤＤセルであり、第１セルがＴＤＤセルである場合、当該第１セルに対する前記ＰＤＳＣＨ  ＨＡＲＱ−ＡＣＫ送信タイミングは、当該ＦＤＤセルのための前記ＰＤＳＣＨ  ＨＡＲＱ−ＡＣＫ送信タイミングに従い、
前記プロセッサは、さらに
ＰＤＳＣＨ  ＨＡＲＱ−ＡＣＫ情報を前記ＰＤＳＣＨ  ＨＡＲＱ−ＡＣＫ送信タイミングに基づいて受信するように構成またはプログラム可能である、
前記ｅＮＢ。
【請求項４】
前記ＰＤＳＣＨ  ＨＡＲＱ−ＡＣＫ情報は、物理上りリンク制御チャネル（ＰＵＣＣＨ）または物理上りリンク共有チャネル（ＰＵＳＣＨ）上のうちの１つで受信される、請求項３に記載のｅＮＢ。
【請求項５】
端末装置（ＵＥ）によってキャリアアグリゲーションを行うための方法であって、
セルごとの物理下りリンク共有チャネル（ＰＤＳＣＨ）ハイブリッド自動再送要求／肯定応答（ＨＡＲＱ−ＡＣＫ）送信タイミングを確定することを備え、少なくとも１つの周波数分割多重（ＦＤＤ）セルおよび少なくとも１つの時分割多重（ＴＤＤ）セルに関して、プライマリセルがＦＤＤセルであり、第１セルが時分割多重ＴＤＤセルである場合、当該第１セルに対する前記ＰＤＳＣＨ  ＨＡＲＱ−ＡＣＫ送信タイミングは、当該ＦＤＤセルのための前記ＰＤＳＣＨ  ＨＡＲＱ−ＡＣＫ送信タイミングに従い、
前記方法は、さらに
ＰＤＳＣＨ  ＨＡＲＱ−ＡＣＫ情報を前記ＰＤＳＣＨ  ＨＡＲＱ−ＡＣＫ送信タイミングに基づいて送信することを備える、前記方法。
【請求項６】
前記ＰＤＳＣＨ  ＨＡＲＱ−ＡＣＫ情報は、物理上りリンク制御チャネル（ＰＵＣＣＨ）または物理上りリンク共有チャネル（ＰＵＳＣＨ）上のうちの１つで送信される、請求項５に記載の方法。
【請求項７】
基地局装置（ｅＮＢ）によってキャリアアグリゲーションを行うための方法であって、
セルごとの物理下りリンク共有チャネル（ＰＤＳＣＨ）ハイブリッド自動再送要求／肯定応答（ＨＡＲＱ−ＡＣＫ）送信タイミングを確定することを備え、少なくとも１つの周波数分割多重（ＦＤＤ）セルおよび少なくとも１つの時分割多重（ＴＤＤ）セルに関して、プライマリセルがＦＤＤセルであり、第１セルがＴＤＤセルである場合、当該第１セルに対する前記ＰＤＳＣＨ  ＨＡＲＱ−ＡＣＫ送信タイミングは、当該ＦＤＤセルのための前記ＰＤＳＣＨ  ＨＡＲＱ−ＡＣＫ送信タイミングに従い、
前記方法は、さらに
ＰＤＳＣＨ  ＨＡＲＱ−ＡＣＫ情報を前記ＰＤＳＣＨ  ＨＡＲＱ−ＡＣＫ送信タイミングに基づいて受信することを備える、前記方法。
【請求項８】
前記ＰＤＳＣＨ  ＨＡＲＱ−ＡＣＫ情報は、物理上りリンク制御チャネル（ＰＵＣＣＨ）または物理上りリンク共有チャネル（ＰＵＳＣＨ）のうちの１つの上で受信される、請求項７に記載の方法。
【発明の詳細な説明】
【技術分野】
【０００１】
本開示は、一般に、通信システムに関する。より具体的には、本開示は、キャリアアグリゲーションのためのシステムおよび方法に関する。
【背景技術】
【０００２】
ワイヤレス通信デバイスは、消費者ニーズを満たし、可搬性と便利さとを改善するためにより小さくより強力になった。消費者は、ワイヤレス通信デバイスに依存するようになり、高信頼性のサービス、カバレッジエリアの拡大および機能性の向上を期待するようになった。ワイヤレス通信システムは、多数のワイヤレス通信デバイスに通信を提供し、それぞれのデバイスが基地局によるサービスを享受する。基地局は、ワイヤレス通信デバイスと通信するデバイスである。
【０００３】
ワイヤレス通信デバイスが進歩するにつれて、通信容量、速度、フレキシビリティおよび／または効率の向上が求められてきた。しかしながら、通信容量、速度、フレキシビリティおよび／または効率を向上させることがいくつかの問題を提起することがある。
【０００４】
例えば、ワイヤレス通信デバイスは、通信構造を用いて１つ以上のデバイスと通信する。しかしながら、用いられる通信構造は、限られたフレキシビリティおよび／または効率を提供するに過ぎない。この考察により示されるように、通信のフレキシビリティおよび／または効率を向上させるシステムおよび方法が有益であろう。
【発明の概要】
【課題を解決するための手段】
【０００５】
本発明の一実施形態は、キャリアアグリゲーションを行うための端末装置（ＵＥ：Ｕｓｅｒ  Ｅｑｕｉｐｍｅｎｔ）を開示し、ＵＥは、プロセッサと、プロセッサと電子通信を行うメモリとを備え、メモリに記憶された命令は、セルごとの物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）ハイブリッド自動再送要求／肯定応答（ＨＡＲＱ−ＡＣＫ：Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ／Ｎｅｇａｔｉｖｅ  Ａｃｋｎｏｗｌｅｄｇｅｍｅｎｔ）送信タイミングを確定するように実行可能であり、少なくとも１つの周波数分割多重（ＦＤＤ：ｆｒｅｑｕｅｎｃｙ  ｄｉｖｉｓｉｏｎ  ｄｕｐｌｅｘｉｎｇ）セルおよび少なくとも１つの時分割多重（ＴＤＤ：ｔｉｍｅ  ｄｉｖｉｓｉｏｎ  ｄｕｐｌｅｘｉｎｇ）セルのキャリアアグリゲーションに関して、プライマリセルがＦＤＤセルであり、第１セルがＴＤＤセルである場合、第１セルのためのＰＤＳＣＨ  ＨＡＲＱ−ＡＣＫ送信タイミングは、プライマリセルのためのＰＤＳＣＨ  ＨＡＲＱ−ＡＣＫ送信タイミングに従い、前記メモリに記憶された前記命令は、さらにＰＤＳＣＨ  ＨＡＲＱ−ＡＣＫ情報をＰＤＳＣＨ  ＨＡＲＱ−ＡＣＫ送信タイミングに基づいて送信するように実行可能である。
【０００６】
本発明の別の実施形態は、キャリアアグリゲーションを行うための基地局装置（ｅＮＢ：ｅｖｏｌｖｅｄ  Ｎｏｄｅ  Ｂ）を開示し、ｅＮＢは、プロセッサと、プロセッサと電子通信を行うメモリとを備え、メモリに記憶された命令は、セルごとの物理下りリンク共有チャネル（ＰＤＳＣＨ）ハイブリッド自動再送要求／肯定応答（ＨＡＲＱ−ＡＣＫ）送信タイミングを確定するように実行可能であり、少なくとも１つの周波数分割多重（ＦＤＤ）セルおよび少なくとも１つの時分割多重（ＴＤＤ）セルのキャリアアグリゲーションに関して、プライマリセルがＦＤＤセルであり、第１セルがＴＤＤセルである場合、第１セルのＰＤＳＣＨ  ＨＡＲＱ−ＡＣＫ送信タイミングは、プライマリセルのＰＤＳＣＨ  ＨＡＲＱ−ＡＣＫ送信タイミングに従い、前記メモリに記憶された前記命令は、さらにＰＤＳＣＨ  ＨＡＲＱ−ＡＣＫ情報をＰＤＳＣＨ  ＨＡＲＱ−ＡＣＫ送信に基づいて受信するように実行可能である。
【０００７】
本発明の別の実施形態は、端末装置（ＵＥ）によってキャリアアグリゲーションを行うための方法を開示し、方法は、セルごとの物理下りリンク共有チャネル（ＰＤＳＣＨ）ハイブリッド自動再送要求／肯定応答（ＨＡＲＱ−ＡＣＫ）送信タイミングを確定することを備え、少なくとも１つの周波数分割多重（ＦＤＤ）セルおよび少なくとも１つの時分割多重（ＴＤＤ）セルのキャリアアグリゲーションに関して、プライマリセルがＦＤＤセルであり、第１セルがＴＤＤセルである場合、第１セルのＰＤＳＣＨ  ＨＡＲＱ−ＡＣＫ送信タイミングは、プライマリセルのＰＤＳＣＨ  ＨＡＲＱ−ＡＣＫ送信タイミングに従い、前記方法は、さらにＰＤＳＣＨ  ＨＡＲＱ−ＡＣＫ送信タイミングに基づいてＰＤＳＣＨ  ＨＡＲＱ−ＡＣＫ情報を送信することを備える。
【０００８】
本発明の別の実施形態は、基地局装置（ｅＮＢ）によってキャリアアグリゲーションを行うための方法を開示し、方法は、セルごとの物理下りリンク共有チャネル（ＰＤＳＣＨ）ハイブリッド自動再送要求／肯定応答（ＨＡＲＱ−ＡＣＫ）送信タイミングを確定することを備え、少なくとも１つの周波数分割多重（ＦＤＤ）セルおよび少なくとも１つの時分割多重（ＴＤＤ）セルのキャリアアグリゲーションに関して、プライマリセルがＦＤＤセルであり、第１セルがＴＤＤセルである場合、第１セルのＰＤＳＣＨ  ＨＡＲＱ−ＡＣＫ送信タイミングは、プライマリセルのＰＤＳＣＨ  ＨＡＲＱ−ＡＣＫ送信タイミングに従い、前記方法は、さらにＰＤＳＣＨ  ＨＡＲＱ−ＡＣＫ情報をＰＤＳＣＨ  ＨＡＲＱ−ＡＣＫ送信に基づいて受信することを備える。
【図面の簡単な説明】
【０００９】
【図１】キャリアアグリゲーションのためのシステムおよび方法が実装された１つ以上の基地局装置（ｅＮＢ）および１つ以上の端末装置（ＵＥ）の一構成を示すブロック図である。
【図２】ＵＥによってキャリアアグリゲーションを行うための方法の一実装を示すフロー図である。
【図３】ｅＮＢによってキャリアアグリゲーションを行うための方法の一実装を示すフロー図である。
【図４】本明細書に開示されるシステムおよび方法に従って用いられる無線フレームの一例を示す図である。
【図５】本明細書に開示されるシステムおよび方法によるいくつかの時分割多重（ＴＤＤ）上り下りリンク（ＵＬ−ＤＬ）構成を示す図である。
【図６】ＵＬ−ＤＬ構成ｏｎｅをもつＴＤＤセルのアソシエーション・タイミングの具体的な実装を示す。
【図７】周波数分割多重（ＦＤＤ）セルのアソシエーション・タイミングを示す。
【図８】ＵＥによってキャリアアグリゲーションを行うための方法のより具体的な実装を示すフロー図である。
【図９】ｅＮＢによってキャリアアグリゲーションを行うための方法のより具体的な実装を示すフロー図である。
【図１０】ＵＥにおいて利用される様々なコンポーネントを示す。
【図１１】ｅＮＢにおいて利用される様々なコンポーネントを示す。
【図１２】キャリアアグリゲーションを行うためのシステムおよび方法が実装されたＵＥの一構成を示すブロック図である。
【図１３】キャリアアグリゲーションを行うためのシステムおよび方法が実装されたシステムおよび方法が実装されたｅＮＢの一構成を示すブロック図である。
【発明を実施するための形態】
【００１０】
キャリアアグリゲーションを行うためのＵＥが開示される。ＵＥは、プロセッサと、プロセッサと電子通信を行うメモリとを含む。実行可能な命令は、メモリに記憶される。ＵＥは、少なくとも１つのＦＤＤセルおよび少なくとも１つのＴＤＤセルをもつワイヤレス通信ネットワークにおける上りリンク制御情報（ＵＣＩ：ｕｐｌｉｎｋ  ｃｏｎｔｒｏｌ  ｉｎｆｏｒｍａｔｉｏｎ）送信セルを確定する。ＵＥは、また、ＦＤＤおよびＴＤＤキャリアアグリゲーションのための第１セルを選択する。ＵＥは、さらに、ＵＣＩ送信セルの少なくとも１つのＵＣＩ送信上りリンク・サブフレームを指示する、第１セルに関わる下りリンク・サブフレーム・アソシエーションのセットを確定する。加えて、ＵＥは、物理下りリンク共有チャネル（ＰＤＳＣＨ）ハイブリッド自動再送要求／肯定応答（ＨＡＲＱ−ＡＣＫ）情報をＵＣＩ送信セルのＵＣＩ送信上りリンク・サブフレームで送信する。
【００１１】
ＵＥは、また、第１セルに関わるＰＤＳＣＨスケジューリングを確定する。ＰＤＳＣＨスケジューリングは、クロスキャリアスケジューリングを含みうる。第１セルのスケジューリングは、スケジューリング・セル・タイミングに基づく。第１セルに関わるＰＤＳＣＨスケジューリングは、スケジューリング・セルの下りリンク割り当てサブフレームで生じる。スケジューリング・セルは、ＴＤＤセルであってもよい。ＵＥは、第１セルに関わる物理上りリンク共有チャネル（ＰＵＳＣＨ）スケジューリングおよびＰＵＳＣＨ  ＨＡＲＱ−ＡＣＫアソシエーションも確定する。
【００１２】
第１セルに関わる下りリンク・サブフレーム・アソシエーションのセットは、ＵＣＩ送信セルのＰＤＳＣＨアソシエーション・タイミングを含んでもよい。ＵＣＩ送信セルがＦＤＤであり、第１セルがＴＤＤセルであってもよい。
【００１３】
第１セルに関わる下りリンク・サブフレーム・アソシエーションのセットを確定するステップは、第１セルのＰＤＳＣＨアソシエーション・タイミングを維持することを含んでもよい。ＵＣＩ送信セルがＦＤＤであり、第１セルがＴＤＤセルであってもよい。
【００１４】
加えて、ＵＥは、プライマリセル（ＰＣｅｌｌ：ｐｒｉｍａｒｙ  ｃｅｌｌ）を確定する。ＰＣｅｌｌがＴＤＤセルであり、ＵＣＩ送信セルが参照セルであってもよい。参照セルは、ＦＤＤセルであってもよい。
【００１５】
ＵＥは、ＵＣＩ送信のための第２のＵＣＩ送信セルも確定してよい。ＵＣＩ送信セルと第２のＵＣＩ送信セルとは異なる多重を利用する。加えて、ＵＥは、ＰＤＳＣＨ  ＨＡＲＱ−ＡＣＫ情報をＵＣＩ送信セルのＵＣＩ送信上りリンク・サブフレームで送信する。ＦＤＤセルに関するＰＤＳＣＨ  ＨＡＲＱ−ＡＣＫ情報は、ＵＣＩ送信セルによって送信され、ＴＤＤセルに関するＰＤＳＣＨ  ＨＡＲＱ−ＡＣＫ情報は、第２のＵＣＩ送信セルによって送信される。ＰＤＳＣＨ  ＨＡＲＱ−ＡＣＫ情報は、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）またはＰＵＳＣＨ上のうちの１つで送信される。
【００１６】
キャリアアグリゲーションを行うためのｅＮＢも記載される。ｅＮＢは、プロセッサと、プロセッサと電子通信を行うメモリとを備える。実行可能な命令は、メモリに記憶される。ｅＮＢは、少なくとも１つのＦＤＤセルおよび少なくとも１つのＴＤＤセルをもつワイヤレス通信ネットワークにおけるＵＣＩ送信セルを確定する。ｅＮＢは、また、ＦＤＤおよびＴＤＤキャリアアグリゲーションのための第１セルを選択する。ｅＮＢは、さらに、ＵＣＩ送信セルの少なくとも１つのＵＣＩ送信上りリンク・サブフレームを指示する、第１セルに関わる下りリンク・サブフレーム・アソシエーションのセットを確定する。加えて、ｅＮＢは、ＰＤＳＣＨ  ＨＡＲＱ−ＡＣＫ情報をＵＣＩ送信セルのＵＣＩ送信上りリンク・サブフレームで受信する。
【００１７】
ＵＥによってキャリアアグリゲーションを行うための方法も記載される。方法は、少なくとも１つのＦＤＤセルおよび少なくとも１つのＴＤＤセルをもつワイヤレス通信ネットワークにおけるＵＣＩ送信セルを確定するステップを含む。方法は、また、ＦＤＤおよびＴＤＤキャリアアグリゲーションのための第１セルを選択するステップを含む。方法は、さらに、ＵＣＩ送信セルの少なくとも１つのＵＣＩ送信上りリンク・サブフレームを指示する、第１セルに関わる下りリンク・サブフレーム・アソシエーションのセットを確定するステップを含む。加えて、方法は、ＰＤＳＣＨ  ＨＡＲＱ−ＡＣＫ情報をＵＣＩ送信セルのＵＣＩ送信上りリンク・サブフレームで送信するステップを含む。
【００１８】
ｅＮＢによってキャリアアグリゲーションを行うための方法も記載される。方法は、少なくとも１つのＦＤＤセルおよび少なくとも１つのＴＤＤセルをもつワイヤレス通信ネットワークにおけるＵＣＩ送信セルを確定するステップを含む。方法は、また、ＦＤＤおよびＴＤＤキャリアアグリゲーションのための第１セルを選択するステップを含む。方法は、さらに、ＵＣＩ送信セルの少なくとも１つのＵＣＩ送信上りリンク・サブフレームを指示する、第１セルに関わる下りリンク・サブフレーム・アソシエーションのセットを確定するステップを含む。加えて、方法は、ＰＤＳＣＨ  ＨＡＲＱ−ＡＣＫ情報をＵＣＩ送信セルのＵＣＩ送信上りリンク・サブフレームで受信するステップを含む。
【００１９】
「３ＧＰＰ」とも呼ばれる第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムに関する世界的に適用可能な技術仕様および技術レポートを定めることを目指した連携合意である。３ＧＰＰは、次世代モバイル・ネットワーク、システムおよびデバイスに関する仕様を定める。
【００２０】
３ＧＰＰロング・ターム・エボリューション（ＬＴＥ：Ｌｏｎｇ  Ｔｅｒｍ  Ｅｖｏｌｕｔｉｏｎ）は、将来の要求に対処すべくユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にサポートおよび仕様を提供するために修正された。
【００２１】
本明細書に開示されるシステムおよび方法の少なくともいくつかの態様は、３ＧＰＰ  ＬＴＥ、ＬＴＥアドバンスト（ＬＴＥ−Ａ）および他の規格（例えば、３ＧＰＰリリース８、９、１０および／または１１）に関して記載される。しかしながら、本開示の範囲は、この点で限定されるべきではない。本明細書に開示されるシステムおよび方法の少なくともいくつかの態様は、他のタイプのワイヤレス通信システムに利用されてもよい。
【００２２】
ワイヤレス通信デバイスは、音声および／またはデータを基地局へ通信するために用いられる電子デバイスであり、次には基地局がデバイスのネットワーク（例えば、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信する。本明細書にシステムおよび方法を記載する際に、ワイヤレス通信デバイスは、代わりに、移動局、ＵＥ、アクセス端末、加入者局、移動端末、遠隔局、ユーザ端末、端末、加入者ユニット、モバイルデバイスなどと呼ばれることもある。ワイヤレス通信デバイスの例は、セルラーフォン、スマートフォン、携帯情報端末（ＰＤＡ：ｐｅｒｓｏｎａｌ  ｄｉｇｉｔａｌ  ａｓｓｉｓｔａｎｔ）、ラップトップコンピュータ、ネットブック、電子書籍リーダ、ワイヤレス・モデムなどを含む。３ＧＰＰ仕様では、ワイヤレス通信デバイスは、典型的にＵＥと呼ばれる。しかしながら、本開示の範囲は、３ＧＰＰ規格に限定されるべきではないので、より一般的な用語「ワイヤレス通信デバイス」を意味するために、本明細書では用語「ＵＥ」および「ワイヤレス通信デバイス」が同義で用いられる。
【００２３】
３ＧＰＰ仕様では、基地局は、典型的にＮｏｄｅ  Ｂ、ｅＮＢ、ｈｏｍｅ  ｅｎｈａｎｃｅｄまたはｅｖｏｌｖｅｄ  Ｎｏｄｅ  Ｂ（ＨｅＮＢ）、あるいはいくつかの他の同様の用語で呼ばれる。本開示の範囲は、３ＧＰＰ規格に限定されるべきではないので、より一般的な用語「基地局」を意味するために、本明細書では用語「基地局」、「Ｎｏｄｅ  Ｂ」、「ｅＮＢ」および「ＨｅＮＢ」が同義で用いられる。さらにまた、用語「基地局」は、アクセスポイントを示すために用いられてもよい。アクセスポイントとは、ワイヤレス通信デバイスのためにネットワーク（例えば、ローカルエリアネットワーク（ＬＡＮ：Ｌｏｃａｌ  Ａｒｅａ  Ｎｅｔｗｏｒｋ）、インターネットなど）へのアクセスを提供する電子デバイスである。用語「通信デバイス」は、ワイヤレス通信デバイスおよび／または基地局の両方を示すために用いられる。
【００２４】
本明細書では、「セル」は、インターナショナル・モバイル・テレコミュニケーションズ−アドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）またはその拡張に用いるべく、ＵＥとｅＮＢとの間の通信のためのプロトコルが規格化によって指定され、または規制団体によって管理される通信チャネルの任意のセットを指し、そのすべてまたはそのサブセットが、ｅＮＢとＵＥとの間の通信に用いることが認可されたバンド（例えば、周波数バンド）として３ＧＰＰに採用されることに留意すべきである。「設定されたセル（ｃｏｎｆｉｇｕｒｅｄ  ｃｅｌｌ）」は、ＵＥが認識しており、情報を送信または受信することがｅＮＢによって許可されたセルである。「設定されたセル（単数または複数）」は、在圏セル（単数または複数）であってもよい。ＵＥは、すべての設定されたセル上でシステム情報を受信して必要な測定を行う。「アクティブ化されたセル（ａｃｔｉｖａｔｅｄ  ｃｅｌｌ）」は、ＵＥが送受信を行っている設定されたセルである。すなわち、アクティブ化されたセルは、ＵＥが物理下りリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）をモニタする対象となるセルであり、下りリンク送信の場合には、ＵＥがＰＤＳＣＨを復号する対象となるセルである。「非アクティブ化されたセル（ｄｅａｃｔｉｖａｔｅｄ  ｃｅｌｌ）」は、ＵＥが送信ＰＤＣＣＨをモニタしていない設定されたセルである。留意すべきは、「セル」が異なる次元の観点から記載されることである。例えば、「セル」は、時間、空間（例えば、地理的）および周波数特性を有する。
【００２５】
本明細書に開示されるシステムおよび方法は、キャリアアグリゲーションを記載する。いくつかの構成において、本明細書に開示されるシステムおよび方法は、ハイブリッド多重を用いたＬＴＥ拡張キャリアアグリゲーション（ｅＣＡ）を記載する。例えば、ＰＣｅｌｌが周波数分割多重（ＦＤＤ）を用いて設定され、セカンダリセル（ＳＣｅｌｌ：ｓｅｃｏｎｄａｒｙ  ｃｅｌｌ）が時分割多重（ＴＤＤ）を用いて設定される場合に関して、アソシエーション・タイミングが記載される。加えて、ＰＣｅｌｌがＴＤＤを用いて設定され、ＳＣｅｌｌがＦＤＤを用いて設定される場合に関しても、アソシエーション・タイミングが記載される。
【００２６】
現在、ＦＤＤおよびＴＤＤという２つのＬＴＥ多重システムがある。しかしながら、現在のアプローチの下で、ＦＤＤおよびＴＤＤシステムは、ＣＡのために一緒に機能することはできない。例えば、既知のアプローチ（例えば、ＬＴＥリリース１０（以下、「リリース１０」））および提案されたアプローチ（例えば、ＬＴＥリリース１１（以下、「リリース１１」））の下で、キャリアアグリゲーション（ＣＡ：ｃａｒｒｉｅｒ  ａｇｇｒｅｇａｔｉｏｎ）は、複数のＦＤＤセルまたは複数のＴＤＤセルのいずれかに許可されるが、両方のセル・タイプのハイブリッドに対しては許可されない。
【００２７】
キャリアアグリゲーションは、１つより多いキャリアの同時利用を指す。キャリアアグリゲーションでは、１つより多いキャリアがＵＥへアグリゲートされる。一例において、キャリアアグリゲーションは、ＵＥが利用できる有効バンド幅を増加させるために用いられる。リリース１０におけるＴＤＤ  ＣＡおよびリリース１１におけるバンド内ＣＡに対して、同じＴＤＤ上り下りリンク（ＵＬ−ＤＬ）構成を用いる必要がある。リリース１１では、複数の異なるＴＤＤ  ＵＬ−ＤＬ構成を用いたバンド間ＴＤＤ  ＣＡがサポートされる。複数の異なるＴＤＤ  ＵＬ−ＤＬ構成を用いたバンド間ＴＤＤ  ＣＡは、ＣＡの展開のためにＴＤＤネットワークのフレキシビリティを提供する。そのうえ、トラフィックアダプテーションにより強化された干渉管理（ｅＩＭＴＡ：ｅｎｈａｎｃｅｄ  ｉｎｔｅｒｆｅｒｅｎｃｅ  ｍａｎａｇｅｍｅｎｔ  ｗｉｔｈ  ｔｒａｆｆｉｃ  ａｄａｐｔａｔｉｏｎ）が、ネットワーク・トラフィック負荷に基づくフレキシブルなＴＤＤ  ＵＬ−ＤＬ再構成を可能にする。しかしながら、いずれの現在のアプローチにおいても、ハイブリッド多重ネットワーク（例えば、ＦＤＤおよびＴＤＤセルの両方をもつネットワーク）でＣＡはサポートされない。留意すべきは、本明細書に用いられる用語「同時の」およびその変形は、２つ以上のイベントが時間的に重なり合うか、および／または時間的に互いに接近して生じることを示すことである。加えて、「同時の」およびその変形は、２つ以上のイベントが正確に同時刻に生じることを意味しても、しなくてもよい。
【００２８】
ＦＤＤセルは、スペクトルにおける切れ目なく連続したサブセットが、ＵＬまたはＤＬのいずれかには専ら割り当てられるが、両方には割り当てられないスペクトル（例えば、無線通信周波数）を必要とする。従って、ＦＤＤは、対をなすキャリアを有しても、有さなくてもよい（例えば、ＵＬよりＤＬキャリアを有してもよい）。しかしながら、ＴＤＤは、同じキャリア周波数上にＵＬおよびＤＬリソースを割り当てる。それゆえに、ＴＤＤは、スペクトルの使用法により多くのフレキシビリティを提供する。ワイヤレスネットワーク・トラフィックの増加に伴い、かつスペクトル資源が非常に貴重になるにつれて、新たに割り当てられるスペクトルは、再分化される傾向にあり、より狭いバンド幅を有し、ＴＤＤおよび／またはスモールセルの展開により適する。そのうえ、ＴＤＤは、複数の異なるＴＤＤ  ＵＬ−ＤＬ構成および動的なＤＬ−ＵＬ再構成を用いたトラフィックアダプテーションを通じて、フレキシブルなチャンネル使用法を提供する。
【００２９】
本明細書に記載されるシステムおよび方法は、マクロセルおよびスモールセル（例えば、フェムトセル、ピコセル、マイクロセルなど）ヘテロジニアスネットワーク・シナリオによる、同じスケジューラ制御の下でのキャリアアグリゲーション（ＣＡ）を含む。ＬＴＥネットワーク展開のために大部分のキャリアがＦＤＤ−ＬＴＥを選択するが、多くのマーケットにおいてＴＤＤ−ＬＴＥがますます重要になっている。ＴＤＤの実装は、迅速なトラフィックアダプテーションによってスモールセルにフレキシビリティを提供する。
【００３０】
ＴＤＤ  ＣＡおよびハイブリッド多重ネットワークに伴って、マクロセルおよびスモールセルは、異なる周波数バンドを用いる。周波数バンドは、通信チャネルが確立されたスペクトルの小区分である。例えば、典型的なＣＡの場合、マクロセルが低い方の周波数バンドを用い、スモールセルが高い方の周波数バンドを用いる。ハイブリッド多重ネットワークに関して、可能な組み合わせは、マクロセル上にＦＤＤ、およびスモールセル上にＴＤＤを有することである。それゆえに、シームレス動作を可能にするために、ハイブリッド多重ネットワークにおけるＣＡには２対のアソシエーション・タイミング、すなわち、（１）物理下りリンク共有チャネル（ＰＤＳＣＨ）スケジューリングおよびＰＤＳＣＨ  ＨＡＲＱ−ＡＣＫレポーティング、ならびに（２）物理上りリンク共有チャネル（ＰＵＳＣＨ）スケジューリングおよびＰＵＳＣＨ  ＨＡＲＱ−ＡＣＫタイミングが重要である。
【００３１】
ＰＤＳＣＨスケジューリングおよびＰＵＳＣＨスケジューリングは、対応するＰＤＣＣＨフォーマットによって行われる。本明細書に開示されるシステムおよび方法は、提案されたリリース１１および将来のＬＴＥ仕様に準拠するＵＥに用いることができる。例えば、ＰＤＳＣＨおよび／またはＰＵＳＣＨ送信をスケジュールするために、ＰＤＣＣＨもしくは拡張型ＰＤＣＣＨ（ｅＰＤＣＣＨ）が用いられる。ＣＡセルのＰＤＳＣＨ  ＨＡＲＱ−ＡＣＫは、サポートされていれば、１つのセルもしくは複数のセルのＰＵＣＣＨまたはＰＵＳＣＨ上でレポートされる。ＰＵＳＣＨ  ＨＡＲＱ−ＡＣＫは、物理ハイブリッド自動再送要求（ＡＲＱ：ａｕｔｏｍａｔｉｃ  ｒｅｐｅａｔ  ｒｅｑｕｅｓｔ）インジケータ・チャンネル（ＰＨＩＣＨ）、ＰＤＣＣＨもしくはｅＰＤＣＣＨ上でシグナリングされる。提案されたリリース１１および将来のＬＴＥ仕様に準拠するＵＥにおいて、ＰＵＳＣＨ  ＨＡＲＱ−ＡＣＫフィードバックには拡張型ＰＤＣＣＨ（ｅＰＤＣＣＨ）および／または拡張型ＰＨＩＣＨ（ｅＰＨＩＣＨ）も用いられる。
【００３２】
１つの実装では、ＰＣｅｌｌは、ＦＤＤを用いて設定されたマクロセルであり、ＳＣｅｌｌは、ＴＤＤを用いて設定されたスモールセル（例えば、ピコセル）である。ハイブリッド多重ＣＡは、ＦＤＤを用いた少なくとも１つのセル（またはキャリア）およびＴＤＤを用いた少なくとも１つのセル（またはキャリア）を含む。この実装（例えば、ＦＤＤ  ＰＣｅｌｌおよびＴＤＤ  ＳＣｅｌｌ）は、２つの場合、すなわち、セルフスケジューリングおよびクロスキャリアスケジューリングにさらに分類される。
【００３３】
ハイブリッド多重ネットワークにおけるＣＡに関わるＰＤＳＣＨスケジューリングは、次のように行われる。ＰＤＳＣＨセルフスケジューリングに関しては、セル上のＰＤＳＣＨ送信が、同じサブフレーム（例えば、同じ送信時間間隔（ＴＴＩ：ｔｒａｎｓｍｉｓｓｉｏｎ  ｔｉｍｅ  ｉｎｔｅｒｖａｌ）における同じセル上の対応するＰＤＣＣＨ（もしくはｅＰＤＣＣＨ）によって、または下りリンク・セミパーシステント・スケジューリング（ＳＰＳ：ｓｅｍｉ−ｐｅｒｓｉｓｔｅｎｔ  ｓｃｈｅｄｕｌｉｎｇ）リリースを指示する同じサブフレームにおける同じセル上のＰＤＣＣＨ（もしくはｅＰＤＣＣＨ）に対して指示される。セルフスケジューリングでは、すべてのＰＤＳＣＨ送信が同じセルのＰＤＣＣＨ（もしくはｅＰＤＣＣＨ）に対してスケジュールされるため、ハイブリッド多重ネットワークに同じ技術を用いることができる。言い換えれば、ハイブリッド多重ネットワークでは、ＰＤＳＣＨ送信に関わるセルフスケジューリングが同じサブフレームにおける同じセル上の対応するＰＤＣＣＨ（もしくはｅＰＤＣＣＨ）によって行われる。
【００３４】
クロスキャリアスケジューリングを用いると、セル上のＰＤＳＣＨ送信は、別のセル上のＰＤＣＣＨ（もしくはｅＰＤＣＣＨ）によってスケジュールされる。ハイブリッド多重ネットワークに伴って、スケジューリング・セルがＦＤＤセルであり、スケジュールされるセルがＴＤＤセルであれば、ＰＤＳＣＨ送信は、常に、ＦＤＤスケジューリング・セルによってクロスキャリアスケジュールできる。言い換えれば、クロスキャリアスケジューリングにおいて、ＰＤＳＣＨスケジューリングは、スケジューリング・セル・タイミングに従う。
【００３５】
一方、ハイブリッド多重ネットワークに伴って、スケジューリング・セルがＴＤＤセルであり、スケジュールされるセルがＦＤＤセルであれば、ＰＤＳＣＨ送信は、いくつかの制約条件を用いてクロスキャリアスケジュールされる。１つの実装では、スケジュールされるセル上のＰＤＳＣＨ送信は、スケジューリングＴＤＤセル上にＤＬが割り当てられたサブフレームにおいてクロスキャリアスケジュールされる。それゆえに、クロスキャリアスケジューリングを用いると、スケジュールされるセルのＰＤＳＣＨスケジューリングは、スケジュールリング・セルの下りリンク割り当てサブフレームにおいて生じる。
【００３６】
ＰＵＳＣＨスケジューリングおよびＰＵＳＣＨ  ＨＡＲＱ−ＡＣＫは、次のように行われる。ＰＵＳＣＨセルフスケジューリングのために、ｅＮＢは、下りリンク制御情報（ＤＣＩ：ｄｏｗｎｌｉｎｋ  ｃｏｎｔｒｏｌ  ｉｎｆｏｒｍａｔｉｏｎ）フォーマット０／４をもつＰＤＣＣＨ（もしくはｅＰＤＣＣＨ）および／または在圏セル上のＰＨＩＣＨ（もしくはｅＰＨＩＣＨ）送信を、ＵＥを対象としたＤＬサブフレームにおいてスケジュールする。ＵＥは、ＰＤＣＣＨ（もしくはｅＰＤＣＣＨ）およびＰＨＩＣＨ（もしくはｅＰＨＩＣＨ）情報に基づいてサブフレームｎ＋ｋでの対応するＰＵＳＣＨ送信を調整し、ここでＦＤＤに対してｋは４であり、ｋは、ＴＤＤセルのＴＤＤ  ＵＬ−ＤＬ構成によって決定される。ＰＵＳＣＨ  ＨＡＲＱ−ＡＣＫレポートは、対応するアソシエーション・タイミングに従って、同じセル上のＰＨＩＣＨ（もしくはｅＰＨＩＣＨ）またはＰＤＣＣＨ（もしくはｅＰＤＣＣＨ）によりＰＵＳＣＨ送信と関連付けられる。セルフスケジューリングでは、ＰＵＳＣＨが同じセルのＰＤＣＣＨ（もしくはｅＰＤＣＣＨ）上にスケジュールされるため、同じ技術をハイブリッド多重ネットワークにおけるＰＵＳＣＨスケジューリングおよびＰＵＳＣＨ  ＨＡＲＱ−ＡＣＫレポーティングに用いることができる。
【００３７】
クロスキャリアスケジューリングを用いると、ＰＵＳＣＨスケジューリングおよびＰＵＳＣＨ  ＨＡＲＱ−ＡＣＫレポーティングは、スケジューリング・セル・タイミングに従う。例えば、セル上のＰＵＳＣＨ送信は、別のセルからのＵＬグラントまたはＰＨＩＣＨ（もしくはｅＰＨＩＣＨ）フィードバックによってスケジュールされる。ハイブリッド多重ネットワークに伴って、スケジューリング・セルがＦＤＤセルであり、スケジュールされるセルがＴＤＤセルであれば、ＰＵＳＣＨ送信は、クロスキャリアスケジュールされる。
【００３８】
１つの実装では、スケジューリングＦＤＤセルのすべてのサブフレームにＵＬが割り当てられるため、スケジュールされるＴＤＤセルは、常に、ＰＵＳＣＨスケジューリングおよびＰＵＳＣＨ  ＨＡＲＱ−ＡＣＫレポーティングにおけるＦＤＤセル・タイミングを用いてクロスキャリアスケジュールされる。例えば、ＴＤＤセルをクロスキャリアスケジュールするために、ＦＤＤセルの一定の４ミリ秒（ｍｓ）のＰＵＳＣＨスケジューリングおよびフィードバック・アソシエーション・タイミングが用いられる。
【００３９】
別の実装では、スケジューリングＦＤＤセルによるクロスキャリアスケジューリングのために、ＴＤＤセルのＰＵＳＣＨスケジューリングおよびＰＵＳＣＨ  ＨＡＲＱ−ＡＣＫレポーティング・タイミングが用いられる。このアプローチは、セルフスケジューリングおよびクロスキャリアスケジューリングの両方の場合に同じＰＵＳＣＨスケジューリングおよびＰＵＳＣＨ  ＨＡＲＱ−ＡＣＫタイミングを保証する。
【００４０】
一方、スケジューリング・セルがＴＤＤセルであり、スケジュールされるセルがＦＤＤセルであるハイブリッド多重ネットワークを用いると、ＰＵＳＣＨ送信は、いくつかの制約条件を用いてクロスキャリアスケジュールされる。スケジュールされるＦＤＤセルは、ＰＵＳＣＨスケジューリングおよびＨＡＲＱ−ＡＣＫレポーティングにおけるスケジューリングＴＤＤセル・タイミングに従う。しかし、ＴＤＤスケジューリング・セルにＤＬ割り当てをもつサブフレームは、スケジュールされるＦＤＤセル上にＰＵＳＣＨ送信をスケジュールすることができない。例えば、ＦＤＤセルは、ＰＵＳＣＨスケジューリングおよびＨＡＲＱ−ＡＣＫレポーティングに関わる８ｍｓの一定のターンアラウンド時間を有するが、すべてのＴＤＤ  ＵＬ−ＤＬ構成は、少なくとも１０ｍｓのターンアラウンド時間を有する。それゆえに、スケジューリング・セルがＴＤＤセルであり、スケジュールされるセルがＦＤＤであるとき、クロスキャリアスケジューリングを伴うハイブリッド多重ネットワークにおけるＣＡに関わるＰＵＳＣＨスケジューリングおよびＨＡＲＱ−ＡＣＫレポーティングにＦＤＤセル・タイミングを適用することはできない。
【００４１】
加えて、２つより多いセルをもつハイブリッド多重ネットワークのＣＡに対して、ＰＵＳＣＨクロスキャリアスケジューリングおよびＰＵＳＣＨ  ＨＡＲＱ−ＡＣＫレポーティングのための参照セルが用いられてもよい。例えば、ＰＣｅｌｌがＴＤＤセルであれば、ＰＵＳＣＨクロスキャリアスケジューリングおよびＰＵＳＣＨ  ＨＡＲＱ−ＡＣＫレポーティングのための参照セルとしてＦＤＤセルが設定されてもよい。
【００４２】
ハイブリッド多重ネットワークにおけるＣＡに関わるＰＤＳＣＨ  ＨＡＲＱ−ＡＣＫレポーティングは、次のようにスケジュールされる。ＦＤＤおよびＴＤＤネットワークではＰＤＳＣＨ  ＨＡＲＱ−ＡＣＫレポーティングが非常に異なる。ＦＤＤを用いると、サブフレームｎにおけるＰＤＳＣＨ送信に対するＨＡＲＱ−ＡＣＫは、サブフレームｎ＋４におけるＰＵＣＣＨまたはＰＵＳＣＨ送信でレポートされる。しかしながら、ＴＤＤを用いると、ＰＤＳＣＨ  ＨＡＲＱ−ＡＣＫは、ＵＬ割り当てをもつサブフレーム上でしかレポートされない。それゆえに、ＴＤＤでは、ＰＤＳＣＨ  ＨＡＲＱ−ＡＣＫレポーティングのためにＵＬサブフレームが１つより多いＤＬサブフレームと関連付けられる。それに従って、ハイブリッド多重ネットワークにおけるＣＡに関わるマルチセルＨＡＲＱ−ＡＣＫレポーティングが指定される。
【００４３】
ハイブリッド多重ネットワークにおけるＣＡに関わるＰＤＳＣＨ  ＨＡＲＱ−ＡＣＫレポーティングは、ＰＤＳＣＨ  ＨＡＲＱ−ＡＣＫ情報を１つのセルのみにおけるＰＵＣＣＨ上でレポートすることを含む。例えば、ＰＤＳＣＨ  ＨＡＲＱ−ＡＣＫ情報は、ＰＣｅｌｌのＰＵＣＣＨ上でレポートされる。リリース１０およびリリース１１では、ＦＤＤ  ＣＡおよび複数の同じかまたは異なるＴＤＤ  ＵＬ−ＤＬ構成を用いたＴＤＤ  ＣＡに関して、ＰＵＣＣＨは、ＰＣｅｌｌ上でレポートされる。ハイブリッド多重ネットワークにおけるＣＡに関しても、ＰＵＣＣＨをＰＣｅｌｌ上でレポートできる。
【００４４】
１つの実装では、ＰＣｅｌｌがＦＤＤを用いて設定されていれば、すべてのＴＤＤセルにＦＤＤ  ＰＤＳＣＨアソシエーション・タイミングが適用される。例えば、ＴＤＤセルは、ハイブリッド多重ネットワークにおけるＣＡに関わるＰＤＳＣＨ  ＨＡＲＱ−ＡＣＫレポーティングの際に、ＦＤＤセルのタイミングに従う。ＦＤＤセル上のすべてのサブフレームでＤＬが利用できるため、ＴＤＤセル上のＰＤＳＣＨ  ＨＡＲＱ−ＡＣＫ情報は、常に、ＦＤＤセル（例えば、ＰＣｅｌｌ）の対応するＵＬ上でレポートされる。それゆえに、ＴＤＤセルは、ＵＬおよびＤＬに対して別個の周波数キャリアではなく単一の周波数キャリア上で動作する、半二重ＦＤＤセルとして取り扱われる。言い換えれば、ＴＤＤセルに関わる下りリンク・サブフレーム・アソシエーションは、ＦＤＤセルのＰＤＳＣＨアソシエーション・タイミングに従う。
【００４５】
この実装は、ＴＤＤセルの数およびＴＤＤセルのＴＤＤ  ＵＬ−ＤＬ構成に関わらず適用される。そのうえ、この実装は、アソシエーション・タイミングを変更することなしにフレキシブルなＴＤＤ  ＵＬ−ＤＬ再構成を提供する。それゆえに、この実装は、トラフィックアダプテーションにより強化された干渉管理（ｅＩＭＴＡ）にさらに良好なサポートを提供する。
【００４６】
このアプローチは、複数の異なるＵＬ−ＤＬ構成を利用するハイブリッド多重ネットワークにおけるＣＡに簡単で一貫性のあるタイミングを提供する。そのうえ、ＰＤＳＣＨ  ＨＡＲＱ−ＡＣＫペイロードが小さくなり、すべてのＵＬサブフレームにより均等に配分される。この実装を用いると、ハイブリッド多重ネットワークにおけるＣＡをＦＤＤネットワークにおけるＣＡの特別の場合として取り扱うことができる。
【００４７】
スケジューリング・セルがＦＤＤを用いて設定され、スケジュールされるセルがＴＤＤを用いて設定されたクロスキャリアスケジューリングの場合には、この実装は、スケジューリング・セルのタイミングをスケジュールされるセルに適用することを可能にする。この実装は、セルフスケジューリングにも用いることができる。
【００４８】
ＰＤＳＣＨ  ＨＡＲＱ−ＡＣＫに加えて、ＦＤＤおよびＴＤＤセルのチャンネル状態情報（ＣＳＩ）レポートがＰＣｅｌｌのみのＰＵＣＣＨ上でレポートされてもよい。ＣＳＩおよびＰＤＳＣＨ  ＨＡＲＱ−ＡＣＫを含んだＵＣＩが最小Ｃｅｌｌ＿ＩＤをもつ割り当てられたセルのＰＵＳＣＨ上でレポートされてもよい。
【００４９】
別の実装では、ハイブリッド多重ネットワークにおける各セルは、それ自体のタイミングに従う。ＵＬサブフレームｎにおいて、すべてのセルのＰＤＳＣＨ  ＨＡＲＱ−ＡＣＫビットが各セル自体のアソシエーション・タイミングに基づいて生成される。すべてのセルのＰＤＳＣＨ  ＨＡＲＱ−ＡＣＫビットは、次に、ＰＣｅｌｌにおけるＰＵＣＣＨ上で多重されて、レポートされる。サブフレームｎにＰＵＳＣＨがスケジュールされる場合、ＰＤＳＣＨ  ＨＡＲＱ−ＡＣＫビットは、最小Ｃｅｌｌ＿ＩＤをもつセルのＰＵＳＣＨ上で多重される。
【００５０】
ＰＣｅｌｌがＦＤＤを用いて設定されていれば、ＴＤＤ  ＳＣｅｌｌは、それ自体のＰＤＳＣＨアソシエーション・タイミングを維持する。例えば、ＰＣｅｌｌがＦＤＤを用いて設定されている場合、すべてのサブフレームでＵＬサブフレームが利用できる。それゆえに、ハイブリッド多重ネットワークにおけるＣＡの１つの実装では、それ自体のＰＤＳＣＨ  ＨＡＲＱ−ＡＣＫタイミングに従うＴＤＤセルは、常に、ＰＤＳＣＨ  ＨＡＲＱ−ＡＣＫをＰＣｅｌｌにおけるＵＬ上でレポートする。言い換えれば、ＴＤＤ  ＳＣｅｌｌに関わる下りリンク・サブフレーム・アソシエーションのセットを確定するとき、ＴＤＤ  ＳＣｅｌｌは、ＴＤＤ  ＳＣｅｌｌのＰＤＳＣＨアソシエーション・タイミングを維持する。
【００５１】
この実装は、たとえハイブリッド多重ネットワークが同じかまたは異なるＴＤＤ  ＵＬ−ＤＬ構成をもつ複数のＴＤＤセルを含んでも適用される。このアプローチは、複数の異なるＵＬサブフレームに不均衡なＰＤＳＣＨ  ＨＡＲＱ−ＡＣＫペイロードをもたらす。ＴＤＤセルにＵＬが割り当てられたサブフレームにおいて、ＰＵＣＣＨまたはＰＵＳＣＨレポーティングは、ＴＤＤセルにＤＬが割り当てられたサブフレームより多くのＨＡＲＱ−ＡＣＫビットを運ぶ。
【００５２】
セルフスケジューリングを用いたＰＤＳＣＨ送信に対して、この実装は、各セルのＰＤＳＣＨ  ＨＡＲＱ−ＡＣＫタイミングを維持する。ＰＤＳＣＨ  ＨＡＲＱ−ＡＣＫビットは、ＰＣｅｌｌにおけるＰＵＣＣＨ上で多重されて、レポートされる。クロスキャリアスケジューリングにもこの実装が適用できる。１つの場合には、クロスキャリアスケジューリングを用いたＰＤＳＣＨ送信のために、スケジューリング・セルのＰＤＳＣＨ  ＨＡＲＱ−ＡＣＫタイミングが用いられる。別の場合には、クロスキャリアスケジューリングを用いたＰＤＳＣＨ送信のために、スケジュールされるセルのＰＤＳＣＨ  ＨＡＲＱ−ＡＣＫタイミングが用いられる。
【００５３】
ハイブリッド多重ネットワークにおけるＣＡに関わるＰＤＳＣＨ  ＨＡＲＱ−ＡＣＫレポーティングのさらに別の実装では、ＰＣｅｌｌがＴＤＤセルであれば、レポーティング・セルを用いることができる。マクロセルおよびスモールセル構成は、ＰＣｅｌｌがマクロセルであり、ＳＣｅｌｌがスモールセルであることを必ずしも意味しないことに留意すべきである。いくつかの場合には、ＰＣｅｌｌがスモールセルであり、ＳＣｅｌｌがマクロセルであってもよい。それゆえに、上記のシステムおよび方法は、ＰＣｅｌｌがＦＤＤを用いて設定され、ＳＣｅｌｌがＴＤＤを用いて設定された場合について主に考察されるが、別の実装では、ＰＣｅｌｌがＴＤＤを用いて設定され、ＳＣｅｌｌがＦＤＤを用いて設定されてもよい。
【００５４】
ＦＤＤタイミングは、ＴＤＤタイミングと比べて、簡単で一貫性がある。ＴＤＤタイミングは、より大きいセルの傘下に置かれるか、またはより大きいセルと結合されたエリアと空間的に関連するスモールセルのセットに現れる、異なるＴＤＤ  ＵＬ−ＤＬ構成によって異なる。従って、ＵＣＩ（例えば、ＰＤＳＣＨ  ＨＡＲＱ−ＡＣＫおよびＣＳＩ）をレポートするためにはＦＤＤセル（より大きいセル）を用いる方がよいであろう。それゆえに、ハイブリッド多重ネットワークにおけるＣＡに対して、たとえＰＣｅｌｌがＴＤＤセルであっても、（参照セルとも記される）ＰＤＳＣＨ  ＨＡＲＱ−ＡＣＫレポーティング・セルとしてＦＤＤセルが設定される。言い換えれば、ＰＤＳＣＨ  ＨＡＲＱ−ＡＣＫレポーティングは、ＦＤＤを用いて設定されたＳＣｅｌｌ上で行われる。ＰＤＳＣＨ  ＨＡＲＱ−ＡＣＫレポーティング・セルまたは参照セルは、ＵＣＩレポーティング・セル（例えば、ＵＣＩ送信セル）または参照セルであり、従って、ＵＣＩレポーティング・セル上ですべてのＵＣＩがレポートされる。ＵＣＩは、ＨＡＲＱ−ＡＣＫおよびチャンネル状態情報（ＣＳＩ）を含む。ＣＳＩは、チャネル品質インジケータ（ＣＱＩ）および／またはランク指標（ＲＩ：ｒａｎｋ  ｉｎｄｉｃａｔｉｏｎ）および／またはプレコーディングマトリックス識別子（ＰＭＩ：ｐｒｅｃｏｄｉｎｇ  ｍａｔｒｉｘ  ｉｎｄｉｃａｔｏｒ）および／またはプレコーディングタイプ識別子（ＰＴＩ：ｐｒｅｃｏｄｉｎｇ  ｔｙｐｅ  ｉｎｄｉｃａｔｏｒ）などを含む。
【００５５】
別の実装では、ＰＤＳＣＨ  ＨＡＲＱ−ＡＣＫレポーティング・セルまたはＵＣＩレポーティング・セルは、最小Ｃｅｌｌ＿ＩＤをもつＦＤＤセルとして暗黙的に決定される。加えて、ＰＤＳＣＨ  ＨＡＲＱ−ＡＣＫレポーティング・セルまたはＵＣＩレポーティング・セルは、物理（ＰＨＹ：ｐｈｙｓｉｃａｌ）層シグナリングによって（例えば、同期、ブロードキャスト信号、システム情報ブロック（ＳＩＢ：ｓｙｓｔｅｍ  ｉｎｆｏｒｍａｔｉｏｎ  ｂｌｏｃｋ）１および／またはＳＩＢメッセージで）設定されてもよい。そのうえ、ＰＤＳＣＨ  ＨＡＲＱ−ＡＣＫレポーティング・セルまたはＵＣＩレポーティング・セルは、上位層シグナリング（例えば、無線リソース制御（ＲＲＣ：ｒａｄｉｏ  ｒｅｓｏｕｒｃｅ  ｃｏｎｔｒｏｌ）シグナリング）によって設定されてもよい。それゆえに、すべてのセルのＰＤＳＣＨ  ＨＡＲＱ−ＡＣＫは、設定されたレポーティング・セルのＰＵＣＣＨまたはＰＵＳＣＨ上でレポートされる。
【００５６】
ハイブリッド多重ネットワークにおけるＣＡに関わるＰＤＳＣＨ  ＨＡＲＱ−ＡＣＫレポーティングは、ＦＤＤセルとＴＤＤセルでは別個で独立していてもよい。言い換えれば、セルは、多重ごとに独立したＰＵＣＣＨおよび／またはＰＵＳＣＨレポートを維持してもよい。
【００５７】
ＴＤＤおよびＦＤＤシステムは、非常に異なるＰＤＳＣＨ  ＨＡＲＱ−ＡＣＫアソシエーション・タイミングを有する。また、ＰＤＣＣＨ（もしくはｅＰＤＣＣＨ）フォーマットおよびＣＳＩ評価ならびにレポートについてもかなり違いがある。それゆえに、ハイブリッド多重ネットワークにおけるＣＡの実装では、ＦＤＤセルおよびＴＤＤセルが別個の独立したＰＤＳＣＨ  ＨＡＲＱ−ＡＣＫレポーティングおよびＣＳＩフィードバック・メカニズムを維持してもよい。例えば、すべてのＦＤＤセルに関わるＰＣｅｌｌ（またはアンカーセル）として１つのＦＤＤセルが設定され、すべてのＴＤＤセルに関わるＰＣｅｌｌ（またはアンカーセル）として１つのＴＤＤセルが設定される。ＦＤＤセルは、リリース１０／１１におけるようにＣＡを行い、ＴＤＤセルは、すべてのＴＤＤセルが同じＴＤＤ  ＵＬ−ＤＬ構成を有する場合にリリース１０におけるようにＣＡを行い、あるいは、ＴＤＤセルは、ＴＤＤセルに異なるＴＤＤ  ＵＬ−ＤＬ構成が用いられる場合にはリリース１１におけるようにＣＡを行う。それゆえに、ＰＣｅｌｌがＦＤＤを用いたマクロセルであり、ＳＣｅｌｌがＴＤＤを用いたスモールセルであれば、スモールセルは、マクロセルとは別個の独立したＰＵＣＣＨレポーティングを行うことができる。
【００５８】
ハイブリッド多重ネットワークにおいて、ＰＣｅｌｌは、ＦＤＤセルまたはＴＤＤセルであってもよい。ＦＤＤ  ＰＣｅｌｌおよびＴＤＤ  ＰＣｅｌｌがハイブリッド多重ネットワークにおけるＣＡを行うように設定されたＰＣｅｌｌまたはＳＣｅｌｌであってもよい。ＦＤＤ  ＰＣｅｌｌは、ＦＤＤアンカーセルとしても設定される。そのうえ、ＴＤＤ  ＰＣｅｌｌは、ＴＤＤアンカーセルとしても設定される。ＦＤＤ  ＰＣｅｌｌ（もしくはＦＤＤアンカーセル）またはＴＤＤ  ＰＣｅｌｌ（もしくはＴＤＤアンカーセル）がＰＣｅｌｌまたはセカンダリＰＣｅｌｌであってもよい。
【００５９】
それゆえに、すべてのＦＤＤセルではＰＤＳＣＨ  ＨＡＲＱ−ＡＣＫをレポートするためにＦＤＤ  ＰＣｅｌｌ上のＰＵＣＣＨが用いられ、すべてのＴＤＤセルではＰＤＳＣＨ  ＨＡＲＱ−ＡＣＫ情報をレポートするためにＴＤＤ  ＰＣｅｌｌ上のＰＵＣＣＨが用いられる。従って、ハイブリッド多重ネットワークを用いたＣＡでは、ＳＣｅｌｌ上のＰＵＣＣＨレポーティングがサポートされ、所与のＳＣｅｌｌがアンカーセルまたはセカンダリセルＰＣｅｌｌとして動作する。
【００６０】
ＵＣＩ（例えば、ＰＤＳＣＨ  ＨＡＲＱ−ＡＣＫ情報および／またはＣＳＩ）がＦＤＤセルのみに関してレポートされるサブフレームでは、ＵＣＩは、ＦＤＤ  ＰＣｅｌｌのＰＵＣＣＨ上でレポートされる。ＵＣＩ（例えば、ＰＤＳＣＨ  ＨＡＲＱ−ＡＣＫ情報および／またはＣＳＩ）がＴＤＤセルのみに関してレポートされるサブフレームでは、ＵＣＩは、ＴＤＤ  ＰＣｅｌｌのＰＵＣＣＨ上でレポートされる。
【００６１】
同じサブフレームにおいてＦＤＤセルおよびＴＤＤセル上の両方のＰＤＳＣＨ  ＨＡＲＱ−ＡＣＫビットをレポートするために、２つの実装を用いることができる。１つの実装では、複数のＰＵＣＣＨがＦＤＤ  ＰＣｅｌｌ（もしくはＦＤＤアンカーセル）およびＴＤＤ  ＰＣｅｌｌ（もしくはＴＤＤアンカーセル）上で同時にレポートされる。別の実装では、１つだけのＰＵＣＣＨがレポートされ、ＦＤＤおよびＴＤＤセルの両方のＰＤＳＣＨ  ＨＡＲＱ−ＡＣＫビットがＰＣｅｌｌのみのＰＵＣＣＨ上で多重されて、レポートされる。
【００６２】
ＦＤＤおよびＴＤＤセルでは独立したレポーティングを用いて、ＰＵＳＣＨ上でＰＤＳＣＨ  ＨＡＲＱ−ＡＣＫ情報またはＣＳＩをレポートしてもよい。１つの実装では、すべてのＦＤＤセルのＰＤＳＣＨ  ＨＡＲＱ−ＡＣＫ情報およびＣＳＩは、最小Ｃｅｌｌ＿ＩＤをもつＦＤＤセルの割り当てられたＰＵＳＣＨ上でレポートされる。すべてのＴＤＤセルのＰＤＳＣＨ  ＨＡＲＱ−ＡＣＫ情報および／またはＣＳＩも、最小Ｃｅｌｌ＿ＩＤをもつＴＤＤセルの割り当てられたＰＵＳＣＨ上でレポートされる。別の実装では、ＦＤＤセルに関するＰＤＳＣＨ  ＨＡＲＱ−ＡＣＫ情報および／またはＣＳＩレポーティング、ならびにＴＤＤセルに関するＰＤＳＣＨ  ＨＡＲＱ−ＡＣＫ情報および／またはＣＳＩレポーティングが異なるチャネル・フォーマットを用いる。例えば、ＦＤＤセルのＰＤＳＣＨ  ＨＡＲＱ−ＡＣＫ情報およびＣＳＩがＰＵＣＣＨ上でレポートされ、ＴＤＤセルのＰＤＳＣＨ  ＨＡＲＱ−ＡＣＫ情報およびＣＳＩがＰＵＳＣＨ上でレポートされ、逆もまた同様である。さらに別の実装では、すべてのＦＤＤおよびＴＤＤセルのＰＤＳＣＨ  ＨＡＲＱ−ＡＣＫ情報およびＣＳＩが最小Ｃｅｌｌ＿ＩＤをもつセルの割り当てられたＰＵＳＣＨ上で一緒に多重されて、レポートされる。
【００６３】
留意すべきは、ＰＣｅｌｌがＦＤＤまたはＴＤＤのいずれに設定されても、ＦＤＤおよびＴＤＤセルによる（ＰＵＣＣＨまたはＰＵＳＣＨ上の）独立したレポーティングを用いうることである。そのうえ、留意すべきは、ＦＤＤおよびＴＤＤセルによる（ＰＵＣＣＨまたはＰＵＳＣＨ上の）独立したレポーティングがセルフスケジューリングおよびクロスキャリアスケジューリングの両方に適用されることである。
【００６４】
本明細書に開示されるシステムおよび方法は、以下の利益を提供する。ＦＤＤおよびＴＤＤセルを含むハイブリッド多重ネットワークにおけるＣＡがシームレスに動作する。ＵＥによってＦＤＤおよびＴＤＤの両方を用いるときに、リソース利用がフレキシブルである。ＨＡＲＱ−ＡＣＫレポーティング方法がＴＤＤセルの動的なＵＬ−ＤＬ再構成をサポートする。異なる多重方法を用いたキャリアにより、ＰＵＣＣＨまたはＰＵＳＣＨ上で独立した上りリンク制御情報（ＵＣＩ）レポーティングが行われる。異なる多重方法を用いたキャリアに対するスタンドアロン動作がサポートされる。ハイブリッドＣＡシナリオでのＴＤＤセル上のＦＤＤセル・タイミングの使用がサポートされる。加えて、物理（ＰＨＹ）層シグナリング、暗黙的なシグナリングおよび／または上位層シグナリングによるレポーティング・セル（または参照セル）の実装がサポートされる。
【００６５】
次に図面を参照して本明細書に開示されるシステムおよび方法の様々な例が記載される。図面中、同様の参照番号は、機能的に類似した要素を示す。本明細書において図面に一般的に記載され、説明されるシステムおよび方法は、多種多様に異なった実装に配置し、かつ設計することができるであろう。従って、図面に表現される、いくつかの実装の以下のさらに詳細な記載は、特許請求の範囲を限定するものではなく、システムおよび方法を単に代表するに過ぎない。
【００６６】
図１は、キャリアアグリゲーションのためのシステムおよび方法が実装された１つ以上のｅＮＢ１６０および１つ以上のＵＥ１０２の一構成を示すブロック図である。１つ以上のＵＥ１０２は、１つ以上のアンテナ１２２ａ〜ｎを用いて１つ以上のｅＮＢ１６０と通信する。例えば、ＵＥ１０２は、１つ以上のアンテナ１２２ａ〜ｎを用いてｅＮＢ１６０へ電磁信号を送信し、かつｅＮＢ１６０から電磁信号を受信する。ｅＮＢ１６０は、１つ以上のアンテナ１８０ａ〜ｎを用いてＵＥ１０２と通信する。
【００６７】
ＵＥ１０２およびｅＮＢ１６０は、相互に通信するために１つ以上のチャネル１１９、１２１を用いる。例えば、ＵＥ１０２は、１つ以上の上りリンク・チャネル１２１を用いてｅＮＢ１６０へ情報またはデータを送信する。上りリンク・チャネル１２１の例は、ＰＵＣＣＨおよびＰＵＳＣＨなどを含む。１つ以上のｅＮＢ１６０も、例として、１つ以上の下りリンク・チャネル１１９を用いて１つ以上のＵＥ１０２へ情報またはデータを送信する。下りリンク・チャネル１１９の例は、ＰＤＣＣＨ、ＰＤＳＣＨなどを含む。他の種類のチャネルが用いられてもよい。
【００６８】
１つ以上のＵＥ１０２のそれぞれは、１つ以上のトランシーバ１１８、１つ以上の復調器１１４、１つ以上のデコーダ１０８、１つ以上のエンコーダ１５０、１つ以上の変調器１５４、データバッファ１０４およびＵＥオペレーション・モジュール１２４を含む。例えば、１つ以上の受信および／または送信経路がＵＥ１０２に実装される。便宜上、ＵＥ１０２では単一のトランシーバ１１８、デコーダ１０８、復調器１１４、エンコーダ１５０および変調器１５４のみが示されるが、複数の並列要素（例えば、トランシーバ１１８、デコーダ１０８、復調器１１４、エンコーダ１５０および変調器１５４）が実装されてもよい。
【００６９】
トランシーバ１１８は、１つ以上の受信機１２０および１つ以上の送信機１５８を含む。１つ以上の受信機１２０は、１つ以上のアンテナ１２２ａ〜ｎを用いてｅＮＢ１６０から信号を受信する。例えば、受信機１２０は、１つ以上の受信信号１１６を作り出すために信号を受信してダウンコンバートする。１つ以上の受信信号１１６は、復調器１１４へ供給される。１つ以上の送信機１５８は、１つ以上のアンテナ１２２ａ〜ｎを用いてｅＮＢ１６０へ信号を送信する。例えば、１つ以上の送信機１５８は、１つ以上の変調信号１５６をアップコンバートして送信する。
【００７０】
復調器１１４は、１つ以上の復調信号１１２を作り出すために１つ以上の受信信号１１６を復調する。１つ以上の復調信号１１２は、デコーダ１０８へ供給される。ＵＥ１０２は、信号を復号するためにデコーダ１０８を用いる。デコーダ１０８は、１つ以上の復号信号１０６、１１０を作り出す。例えば、第１のＵＥ複合信号１０６は、受信したペイロード・データを備え、このデータがデータバッファ１０４に記憶される。第２のＵＥ復号信号１１０は、オーバーヘッド・データおよび／または制御データを備える。例えば、第２のＵＥ復号信号１１０は、１つ以上のオペレーションを行うためにＵＥオペレーション・モジュール１２４によって用いられるデータを供給する。
【００７１】
本明細書では、用語「モジュール」は、特定の要素またはコンポーネントがハードウェア、ソフトウェアまたはハードウェアとソフトウェアとの組み合わせで実装されることを意味する。しかしながら、本明細書に「モジュール」として示される任意の要素は、代わりにハードウェアで実装されてもよいことに留意すべきである。例えば、ＵＥオペレーション・モジュール１２４は、ハードウェア、ソフトウェアまたは両方の組み合わせで実装されてもよい。
【００７２】
一般に、ＵＥオペレーション・モジュール１２４は、ＵＥ１０２が１つ以上のｅＮＢ１６０と通信することを可能にする。ＵＥオペレーション・モジュール１２４は、ＵＥ  ＵＣＩ送信セル確定モジュール１２６、ＵＥ第１セル選択モジュール１２８、ＵＥ下りリンク・サブフレーム・アソシエーション確定モジュール１３０およびＵＥ  ＰＤＳＣＨ  ＨＡＲＱ−ＡＣＫモジュール１３２のうちの１つ以上を含む。
【００７３】
ＵＥ  ＵＣＩ送信セル確定モジュール１２６は、ＵＥ１０２とｅＮＢ１６０との間でＵＣＩ情報を送信するセルを確定する。ＵＣＩの例は、ＰＤＳＣＨ  ＨＡＲＱ−ＡＣＫ情報およびＣＳＩを含む。ＵＣＩ送信セルは、ＦＤＤセルまたはＴＤＤセルのいずれであってもよい。それゆえに、ＵＥ  ＵＣＩ送信セル確定モジュール１２６は、ＦＤＤまたはＴＤＤセルのいずれかであるＵＣＩ送信セルを確定する。１つの実装では、ＵＥ  ＵＣＩ送信セル確定モジュール１２６は、どのセルがＵＣＩ送信セルであるかを選択する。別の実装では、ＵＥ  ＵＣＩ送信セル確定モジュール１２６は、どのセルをＵＣＩ送信に用いるべきかを（例えば、ｅＮＢ１６０によって）命令する。例えば、ＵＥ１０２は、ＵＣＩ送信のための１つ以上のセルを指示するインジケータをｅＮＢ１６０から受信する。それに従って、ＵＥ  ＵＣＩ送信セル確定モジュール１２６は、インジケータに基づいて（例えば、インジケータによって指示される）ＵＣＩ送信のための１つ以上のセルを確定する。ＵＣＩ送信セルは、ＵＣＩを送信するためのＵＥ１０２とｅＮＢ１６０との間の通信チャネル１１９、１２１を含む。
【００７４】
１つの実装では、ＵＥ  ＵＣＩ送信セル確定モジュール１２６は、ＵＣＩ送信セルがＦＤＤセルであることを確定する。一例において、ＵＥ  ＵＣＩ送信セル確定モジュール１２６は、ＵＣＩ送信セルがＦＤＤを用いて設定されたＰＣｅｌｌであることを確定する。この例では、ＵＣＩは、ハイブリッド多重ネットワークにおけるＣＡセル（例えば、ＦＤＤセル（単数または複数）およびＴＤＤセル（単数または複数））のすべてに関して１つのセル（例えば、ＰＣｅｌｌ）上でのみ送信される。
【００７５】
別の実装では、ＵＥ  ＵＣＩ送信セル確定モジュール１２６は、ＵＣＩ送信セルがＦＤＤレポーティング・セルであることを確定する。例えば、ＰＣｅｌｌがＴＤＤセルであり、ＵＣＩ送信セルがＦＤＤを用いて設定されたレポーティング・セルである。
【００７６】
さらに別の実装では、ＵＥ  ＵＣＩ送信セル確定モジュール１２６は、異なる多重を利用したＵＣＩ送信セルおよび第２のＵＣＩ送信セルを確定する。例えば、ＵＥ  ＵＣＩ送信セル確定モジュール１２６は、１つ以上のＦＤＤセルのためのＵＣＩ送信セルを確定し、かつＵＥ  ＵＣＩ送信セル確定モジュール１２６は、１つ以上のＴＤＤセルのための別個の第２のＵＣＩ送信セルも確定する。この実装では、ＦＤＤセルのためのＵＣＩ送信セルは、ＦＤＤアンカーセルであり、ＴＤＤセルのための第２のＵＣＩ送信セルは、ＴＤＤアンカーセルである。
【００７７】
ＵＥ第１セル選択モジュール１２８は、ＦＤＤおよびＴＤＤキャリアアグリゲーションのためのセルを選択する。１つの実装では、ＵＥ第１セル選択モジュール１２８は、ＣＡを行う際にＵＣＩ送信セルが含まれるＴＤＤセルを選択する。代わりに、ＵＥ第１セル選択モジュール１２８は、ＣＡを行う際にＵＣＩ送信セルが含まれるＦＤＤセルを選択する。いくつか実装において、ＵＥ第１セル選択モジュール１２８は、ＦＤＤおよびＴＤＤキャリアアグリゲーションのためのセルを指示する（ｅＮＢ１６０からの）インジケータに基づいて、ＦＤＤおよびＴＤＤキャリアアグリゲーションのためのセルを確定する。
【００７８】
ＵＥ下りリンク・サブフレーム・アソシエーション確定モジュール１３０は、ＵＣＩ送信セルの少なくとも１つのＵＣＩ送信上りリンク・サブフレームを指示する、第１セルに関わる下りリンク・サブフレーム・アソシエーションのセットを確定する。下りリンク・サブフレーム・アソシエーションのセットは、ＵＣＩ送信上りリンク・サブフレームに対応するタイミング（例えば、ＰＤＳＣＨ  ＨＡＲＱ−ＡＣＫアソシエーション）を含む。いくつかの実装において、ＵＥ下りリンク・サブフレーム・アソシエーション確定モジュール１３０は、下りリンク・サブフレーム・アソシエーションのセットを指示する（ｅＮＢ１６０からの）インジケータに基づいて下りリンク・サブフレーム・アソシエーションのセットを確定する。
【００７９】
１つの実装では、ＵＥ下りリンク・サブフレーム・アソシエーション確定モジュール１３０は、第１セルに関わる下りリンク・アソシエーションのセットがＵＣＩ送信セルのＰＤＳＣＨアソシエーション・タイミングを含むことを確定する。例えば、ＵＣＩ送信セルがＦＤＤセルであり、第１セルがＴＤＤセルであれば、第１セルは、ＦＤＤセルのアソシエーション・タイミングに従う。
【００８０】
別の実装では、ＵＥ下りリンク・サブフレーム・アソシエーション確定モジュール１３０は、第１セルに関わる下りリンク・サブフレーム・アソシエーションのセットが第１セルのＰＤＳＣＨアソシエーション・タイミングを維持することを含むことを確定する。例えば、ＵＣＩ送信セルがＦＤＤセルであり、第１セルがＴＤＤセルであれば、第１セルは、それ自体のＰＤＳＣＨアソシエーション・タイミングを維持する。それゆえに、第１セルは、図５および図６に関連して以下に記載されるようにＴＤＤ  ＵＬ−ＤＬ構成を用いる。
【００８１】
ＵＥ  ＰＤＳＣＨ  ＨＡＲＱ−ＡＣＫモジュール１３２は、ＰＤＳＣＨ  ＨＡＲＱ−ＡＣＫ情報をＵＣＩ送信セルのＵＣＩ送信上りリンク・サブフレームで送信する。例えば、ＵＥ  ＰＤＳＣＨ  ＨＡＲＱ−ＡＣＫモジュール１３２は、ＰＤＳＣＨ  ＨＡＲＱ−ＡＣＫ情報を下りリンク・サブフレーム・アソシエーションのセットに対応するＵＣＩ送信上りリンク・サブフレームで送信する。例として、ＵＥ  ＰＤＳＣＨ  ＨＡＲＱ−ＡＣＫモジュール１３２は、下りリンク・サブフレーム・アソシエーションのセットに基づいて、ＰＤＳＣＨ  ＨＡＲＱ−ＡＣＫ情報をいつ送信すべきか、いつすべきでないかを送信機（単数または複数）１５８に通知する。
【００８２】
１つの実装では、ＵＥ  ＰＤＳＣＨ  ＨＡＲＱ−ＡＣＫモジュール１３２は、ＰＤＳＣＨ  ＨＡＲＱ−ＡＣＫ情報を１つのセルのみのＰＵＣＣＨまたはＰＵＳＣＨ上で送信する。例えば、ＵＥ  ＰＤＳＣＨ  ＨＡＲＱ−ＡＣＫモジュール１３２は、（第１セルを含む）すべてのセルに関するＰＤＳＣＨ  ＨＡＲＱ−ＡＣＫ情報を、ＦＤＤセルであるＵＣＩ送信セルのＰＵＣＣＨ上で送信する。
【００８３】
別の実装では、ＵＥ  ＰＤＳＣＨ  ＨＡＲＱ−ＡＣＫモジュール１３２は、ＰＤＳＣＨ  ＨＡＲＱ−ＡＣＫ情報を複数のセルへ送信する。例えば、ＦＤＤおよびＴＤＤセルが別個のＵＣＩ送信セルを有するところでは、ＵＥ  ＰＤＳＣＨ  ＨＡＲＱ−ＡＣＫモジュール１３２は、ＰＤＳＣＨ  ＨＡＲＱ−ＡＣＫ情報をＵＣＩ送信上りリンク・サブフレームでＦＤＤセルのためのＵＣＩ送信セルへ、およびＴＤＤセルのための第２のＵＣＩ送信セルへ送信する。言い換えれば、ＦＤＤセルに関するＰＤＳＣＨ  ＨＡＲＱ−ＡＣＫ情報は、ＵＣＩ送信セルによって送信され、ＴＤＤセルに関するＰＤＳＣＨ  ＨＡＲＱ−ＡＣＫ情報は、第２のＵＣＩ送信セルによって送信される。
【００８４】
ＵＥオペレーション・モジュール１２４は、情報１４８を１つ以上の受信機１２０に提供する。例えば、ＵＥオペレーション・モジュール１２４は、再信号をいつ受信すべきかを受信機（単数または複数）１２０に通知する。
【００８５】
ＵＥオペレーション・モジュール１２４は、情報１３８を復調器１１４に提供する。例えば、ＵＥオペレーション・モジュール１２４は、ｅＮＢ１６０からの送信に予想される変調パターンを復調器１１４に通知する。
【００８６】
ＵＥオペレーション・モジュール１２４は、情報１３６をデコーダ１０８に提供する。例えば、ＵＥオペレーション・モジュール１２４は、ｅＮＢ１６０からの送信に予想される符号化法をデコーダ１０８に通知する。
【００８７】
ＵＥオペレーション・モジュール１２４は、情報１４２をエンコーダ１５０に提供する。情報１４２は、符号化すべきデータおよび／または符号化のための命令を含む。例えば、ＵＥオペレーション・モジュール１２４は、送信データ１４６および／または他の情報１４２を符号化するようにエンコーダ１５０に命令する。他の情報１４２は、ＰＤＳＣＨ  ＨＡＲＱ−ＡＣＫ情報を含む。
【００８８】
エンコーダ１５０は、送信データ１４６および／またはＵＥオペレーション・モジュール１２４によって提供された他の情報１４２を符号化する。例えば、データ１４６および／または他の情報１４２の符号化は、誤り検出および／または訂正符号化、送信のための空間、時間および／または周波数リソースへのデータのマッピング、多重化などを伴う。エンコーダ１５０は、符号化データ１５２を変調器１５４へ供給する。
【００８９】
ＵＥオペレーション・モジュール１２４は、情報１４４を変調器１５４に提供する。例えば、ＵＥオペレーション・モジュール１２４は、ｅＮＢ１６０への送信に用いられることになる変調型（例えば、コンステレーション・マッピング）を変調器１５４に通知する。変調器１５４は、１つ以上の変調信号１５６を１つ以上の送信機１５８へ供給するために符号化データ１５２を変調する。
【００９０】
ＵＥオペレーション・モジュール１２４は、情報１４０を１つ以上の送信機１５８に提供する。この情報１４０は、１つ以上の送信機１５８に対する命令を含む。例えば、ＵＥオペレーション・モジュール１２４は、信号をｅＮＢ１６０へいつ送信すべきかを１つ以上の送信機１５８に命令する。いくつかの構成において、これは、ＵＥ下りリンク・サブフレーム・アソシエーション確定モジュール１３０に基づく（例えば、ＵＬ−ＤＬ構成に基づく）。例として、１つ以上の送信機１５８は、ＵＬサブフレームの間に送信する。１つ以上の送信機１５８は、１つ以上のｅＮＢ１６０へ変調信号（単数または複数）１５６をアップコンバートして送信する。
【００９１】
ｅＮＢ１６０は、１つ以上のトランシーバ１７６、１つ以上の復調器１７２、１つ以上のデコーダ１６６、１つ以上のエンコーダ１０９、１つ以上の変調器１１３、データバッファ１６２およびｅＮＢオペレーション・モジュール１８２を含む。例えば、１つ以上の受信および／または送信経路がｅＮＢ１６０で実装される。便宜上、ｅＮＢ１６０では単一のトランシーバ１７６、デコーダ１６６、復調器１７２、エンコーダ１０９および変調器１１３のみが示されるが、複数の並列要素（例えば、トランシーバ１７６、デコーダ１６６、復調器１７２、エンコーダ１０９および変調器１１３）が実装されてもよい。
【００９２】
トランシーバ１７６は、１つ以上の受信機１７８および１つ以上の送信機１１７を含む。１つ以上の受信機１７８は、１つ以上のアンテナ１８０ａ〜ｎを用いてＵＥ１０２から信号を受信する。例えば、受信機１７８は、１つ以上の受信信号１７４を作り出すために信号を受信してダウンコンバートする。１つ以上の受信信号１７４は、復調器１７２へ供給される。１つ以上の送信機１１７は、１つ以上のアンテナ１８０ａ〜ｎを用いてＵＥ１０２へ信号を送信する。例えば、１つ以上の送信機１１７は、１つ以上の変調信号１１５をアップコンバートして送信する。
【００９３】
復調器１７２は、１つ以上の復調信号１７０を作り出すために１つ以上の受信信号１７４を復調する。１つ以上の復調信号１７０は、デコーダ１６６へ供給される。ｅＮＢ１６０は、信号を復号するためにデコーダ１６６を用いる。デコーダ１６６は、１つ以上の復号信号１６４、１６８を作り出す。例えば、第１のｅＮＢ復号信号１６４は、データバッファ１６２に記憶される、受信したペイロード・データを備える。第２のｅＮＢ復号信号１６８は、オーバーヘッド・データおよび／または制御データを備える。例えば、第２のｅＮＢ復号信号１６８は、１つ以上のオペレーションを行うためにｅＮＢオペレーション・モジュール１８２によって用いられるデータ（例えば、ＰＤＳＣＨ  ＨＡＲＱ−ＡＣＫ情報）を供給する。
【００９４】
一般に、ｅＮＢオペレーション・モジュール１８２は、ｅＮＢ１６０が１つ以上のＵＥ１０２と通信することを可能にする。ｅＮＢオペレーション・モジュール１８２は、ｅＮＢ  ＵＣＩ送信セル確定モジュール１９４、ｅＮＢ第１セル選択モジュール１９６、ｅＮＢ下りリンク・サブフレーム・アソシエーション確定モジュール１９８およびｅＮＢ  ＰＤＳＣＨ  ＨＡＲＱ−ＡＣＫモジュール１０７のうちの１つ以上を含む。
【００９５】
ｅＮＢ  ＵＣＩ送信セル確定モジュール１９４は、ＵＥ１０２とｅＮＢ１６０との間でＵＣＩ情報を送信するセルを確定する。ＵＣＩの例は、ＰＤＳＣＨ  ＨＡＲＱ−ＡＣＫおよびＣＳＩを含む。ＵＣＩ送信セルは、ＦＤＤセルまたはＴＤＤセルのいずれであってもよい。それゆえに、ｅＮＢ  ＵＣＩ送信セル確定モジュール１９４は、ＦＤＤまたはＴＤＤセルのいずれかであるＵＣＩ送信セルを確定する。１つの実装では、ｅＮＢ  ＵＣＩ送信セル確定モジュール１９４は、どのセルがＵＣＩ送信セルであるかを選択する。別の実装では、ｅＮＢ  ＵＣＩ送信セル確定モジュール１９４は、どのセルがＵＣＩ送信セルであるかを（例えば、ＵＥ１０２に）命令する。例えば、ｅＮＢ  ＵＣＩ送信セル確定モジュール１９４は、ＵＣＩ送信のための１つ以上のセルを指示するインジケータを生成して送信する。ＵＣＩ送信セルは、ＵＣＩを送信するためのＵＥ１０２とｅＮＢ１６０との間の通信チャネル１１９、１２１を含む。
【００９６】
１つの実装では、ｅＮＢ  ＵＣＩ送信セル確定モジュール１９４は、ＵＣＩ送信セルがＦＤＤセルであることを確定する。加えて、ｅＮＢ  ＵＣＩ送信セル確定モジュール１９４は、ＵＣＩ送信セルがＦＤＤを用いて設定されたＰＣｅｌｌであることを確定する。この実装では、ＵＣＩは、ハイブリッド多重ネットワークにおけるＣＡセル（例えば、ＦＤＤセルおよびＴＤＤセル）のすべてに関して１つだけのセル（例えば、ＰＣｅｌｌ）上でのみ受信される。
【００９７】
別の実装では、ｅＮＢ  ＵＣＩ送信セル確定モジュール１９４は、ＵＣＩ送信セルがＦＤＤレポーティング・セルであることを確定する。例えば、ＰＣｅｌｌは、ＴＤＤセルであり、ＵＣＩ送信セルは、ＦＤＤを用いて設定されたレポーティング・セルである。
【００９８】
さらに別の実装では、ｅＮＢ  ＵＣＩ送信セル確定モジュール１９４は、異なる多重を利用したＵＣＩ送信セルおよび第２のＵＣＩ送信セルを確定する。例えば、ｅＮＢ  ＵＣＩ送信セル確定モジュール１９４は、１つ以上のＦＤＤセルのためのＵＣＩ送信セルを確定し、かつｅＮＢ  ＵＣＩ送信セル確定モジュール１９４は、１つ以上のＴＤＤセルのための別個の第２のＵＣＩ送信セルも確定する。この実装では、ＦＤＤセルのためのＵＣＩ送信セルは、ＦＤＤアンカーセルであり、ＴＤＤセルのための第２のＵＣＩ送信セルは、ＴＤＤアンカーセルである。
【００９９】
ｅＮＢ第１セル選択モジュール１９６は、ＦＤＤおよびＴＤＤキャリアアグリゲーションのためのセルを選択する。１つの実装では、ｅＮＢ第１セル選択モジュール１９６は、ＣＡを行う際にＵＣＩ送信セルが含まれるＴＤＤセルを選択する。代わりに、ｅＮＢ第１セル選択モジュール１９６は、ＣＡを行う際にＵＣＩ送信セルが含まれるＦＤＤセルを選択してもよい。いくつかの実装において、ｅＮＢ第１セル選択モジュール１９６は、ＦＤＤおよびＴＤＤキャリアアグリゲーションのためのセルを指示する（ＵＥ１０２への）インジケータを生成して送信する。
【０１００】
ｅＮＢ下りリンク・サブフレーム・アソシエーション確定モジュール１９８は、ＵＣＩ送信セルの少なくとも１つのＵＣＩ送信上りリンク・サブフレームを指示する、第１セルに関わる下りリンク・サブフレーム・アソシエーションのセットを確定する。下りリンク・サブフレーム・アソシエーションのセットは、ＵＣＩ送信上りリンク・サブフレームに対応するタイミング（例えば、ＰＤＳＣＨ  ＨＡＲＱ−ＡＣＫアソシエーション）を含む。いくつかの実装において、ｅＮＢ下りリンク・サブフレーム・アソシエーション確定モジュール１９８は、下りリンク・サブフレーム・アソシエーションのセットを指示する（ＵＥ１０２への）インジケータを生成して送信する。
【０１０１】
１つの実装では、ｅＮＢ下りリンク・サブフレーム・アソシエーション確定モジュール１９８は、第１セルに関わる下りリンク・アソシエーションのセットがＵＣＩ送信セルのＰＤＳＣＨアソシエーション・タイミングを含むことを確定する。例えば、ＵＣＩ送信セルがＦＤＤセルであり、第１セルがＴＤＤセルであれば、第１セルは、ＦＤＤセルのアソシエーション・タイミングに従う。
【０１０２】
別の実装では、ｅＮＢ下りリンク・サブフレーム・アソシエーション確定モジュール１９８は、第１セルに関わる下りリンク・サブフレーム・アソシエーションのセットが第１セルのＰＤＳＣＨアソシエーション・タイミングを維持することを含むことを確定する。例えば、ＵＣＩ送信セルがＦＤＤセルであり、第１セルがＴＤＤセルであれば、第１セルは、それ自体のＰＤＳＣＨアソシエーション・タイミングを維持する。それゆえに、第１セルは、図５および図６に関連して以下に記載されるようにＴＤＤ  ＵＬ−ＤＬ構成を用いる。
【０１０３】
ｅＮＢ  ＰＤＳＣＨ  ＨＡＲＱ−ＡＣＫモジュール１０７は、ＰＤＳＣＨ  ＨＡＲＱ−ＡＣＫ情報をＵＣＩ送信セルのＵＣＩ送信上りリンク・サブフレームで受信する。例えば、ｅＮＢ  ＰＤＳＣＨ  ＨＡＲＱ−ＡＣＫモジュール１０７は、ＰＤＳＣＨ  ＨＡＲＱ−ＡＣＫ情報を下りリンク・サブフレーム・アソシエーションのセットに対応するＵＣＩ送信上りリンク・サブフレームで受信する。例として、ｅＮＢ  ＰＤＳＣＨ  ＨＡＲＱ−ＡＣＫモジュール１０７は、ＰＤＳＣＨ  ＨＡＲＱ−ＡＣＫ情報を下りリンク・サブフレーム・アソシエーションのセットに基づいて、いつ受信すべきか、いつすべきでないかを受信機（単数または複数）１７８に通知する。
【０１０４】
１つの実装では、ｅＮＢ  ＰＤＳＣＨ  ＨＡＲＱ−ＡＣＫモジュール１０７は、ＰＤＳＣＨ  ＨＡＲＱ−ＡＣＫ情報を１つのセルのみのＰＵＣＣＨまたはＰＵＳＣＨ上で受信する。例えば、ｅＮＢ  ＰＤＳＣＨ  ＨＡＲＱ−ＡＣＫモジュール１０７は、（第１セルを含む）すべてのセルに関するＰＤＳＣＨ  ＨＡＲＱ−ＡＣＫ情報をＦＤＤセルであるＵＣＩ送信セルのＰＵＣＣＨ上で受信する。
【０１０５】
別の実装では、ｅＮＢ  ＰＤＳＣＨ  ＨＡＲＱ−ＡＣＫモジュール１０７は、ＰＤＳＣＨ  ＨＡＲＱ−ＡＣＫ情報を複数のセル上で受信する。例えば、ＦＤＤおよびＴＤＤセルが別個のＵＣＩ送信セルを有するところでは、ｅＮＢ  ＰＤＳＣＨ  ＨＡＲＱ−ＡＣＫモジュール１０７は、ＰＤＳＣＨ  ＨＡＲＱ−ＡＣＫ情報をＦＤＤセルのためのＵＣＩ送信セルおよび／またはＴＤＤセルのための第２のＵＣＩ送信セルにおけるＵＣＩ送信上りリンク・サブフレームで同時に受信する。
【０１０６】
ｅＮＢオペレーション・モジュール１８２は、情報１９０を１つ以上の受信機１７８に提供する。例えば、ｅＮＢオペレーション・モジュール１８２は、下りリンク・サブフレーム・アソシエーションのセットに基づいて、ＰＤＳＣＨ  ＨＡＲＱ−ＡＣＫ情報をいつ受信すべきか、いつすべきでないかを受信機（単数または複数）１７８に通知する。
【０１０７】
ｅＮＢオペレーション・モジュール１８２は、情報１８８を復調器１７２に提供する。例えば、ｅＮＢオペレーション・モジュール１８２は、ＵＥ（単数または複数）１０２からの送信に予想される変調パターンを復調器１７２に通知する。
【０１０８】
ｅＮＢオペレーション・モジュール１８２は、情報１８６をデコーダ１６６に提供する。例えば、ｅＮＢオペレーション・モジュール１８２は、ＵＥ（単数または複数）１０２からの送信に予想される符号化法をデコーダ１６６に通知する。
【０１０９】
ｅＮＢオペレーション・モジュール１８２は、情報１０１をエンコーダ１０９に提供する。情報１０１は、符号化すべきデータおよび／または符号化のための命令を含む。例えば、ｅＮＢオペレーション・モジュール１８２は、送信データ１０５および／または他の情報１０１を符号化するようにエンコーダ１０９に命令する。
【０１１０】
エンコーダ１０９は、ｅＮＢオペレーション・モジュール１８２によって供給された送信データ１０５および／または他の情報１０１を符号化する。例えば、データ１０５および／または他の情報１０１の符号化は、誤り検出および／または訂正符号化、送信のための空間、時間および／または周波数リソースへのデータのマッピング、多重化などを伴う。エンコーダ１０９は、符号化データ１１１を変調器１１３へ供給する。送信データ１０５は、ＵＥ１０２へ伝えられることになるネットワーク・データを含む。
【０１１１】
ｅＮＢオペレーション・モジュール１８２は、情報１０３を変調器１１３に提供する。この情報１０３は、変調器１１３に対する命令を含む。例えば、ｅＮＢオペレーション・モジュール１８２は、ＵＥ（単数または複数）１０２への送信に用いるための変調型（例えば、コンステレーション・マッピング）を変調器１１３に通知する。変調器１１３は、１つ以上の変調信号１１５を１つ以上の送信機１１７へ供給するために符号化データ１１１を変調する。
【０１１２】
ｅＮＢオペレーション・モジュール１８２は、情報１９２を１つ以上の送信機１１７に提供する。この情報１９２は、１つ以上の送信機１１７に対する命令を含む。例えば、ｅＮＢオペレーション・モジュール１８２は、信号をＵＥ（単数または複数）１０２へいつ送信すべきか（または、いつすべきでないか）を１つ以上の送信機１１７に命令する。いくつかの実装において、これは、ＵＬ−ＤＬ構成に基づく。１つ以上の送信機１１７は、変調信号（単数または複数）１１５を１つ以上のＵＥ１０２へアップコンバートして送信する。
【０１１３】
留意すべきは、ＤＬサブフレームがｅＮＢ１６０から１つ以上のＵＥ１０２へ送信され、ＵＬサブフレームが１つ以上のＵＥ１０２からｅＮＢ１６０へ送信されることである。そのうえ、ｅＮＢ１６０も１つ以上のＵＥ１０２も標準スペシャルサブフレームでデータを送信する。
【０１１４】
留意すべきは、ｅＮＢ（単数または複数）１６０およびＵＥ（単数または複数）１０２に含まれる要素またはその部分の１つ以上がハードウェアで実装されてもよいことである。例えば、これらの要素またはその部分の１つ以上は、チップ、回路素子またはハードウェア・コンポーネントなどとして実装されてもよい。本明細書に記載される機能または方法の１つ以上は、ハードウェアで実装されてもよく、および／またはハードウェアを用いて行われてもよいことにも留意すべきである。例えば、本明細書に記載される方法の１つ以上は、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積回路（ＬＳＩ：ｌａｒｇｅ−ｓｃａｌｅ  ｉｎｔｅｇｒａｔｅｄ  ｃｉｒｃｕｉｔ）または集積回路などで実装されてもよく、および／またはそれらを用いて実現されてもよい。
【０１１５】
図２は、ＵＥ１０２によってキャリアアグリゲーションを行うための方法２００の一実装を示すフロー図である。ＵＥ１０２は、少なくとも１つのＦＤＤセルおよび少なくとも１つのＴＤＤセルをもつワイヤレス通信ネットワークにおけるＵＣＩ送信セルを確定する（ステップ２０２）。例えば、ワイヤレス通信ネットワークは、１つ以上のＦＤＤセルおよび１つ以上のＴＤＤセルを用いてキャリアアグリゲーションが行われるハイブリッド多重ネットワークである。加えて、１つの実装では、ワイヤレス通信ネットワークは、ＬＴＥネットワークである。ＵＣＩは、ＰＤＳＣＨ  ＨＡＲＱ−ＡＣＫ情報およびＣＳＩのうちの１つ以上を含む。ＵＣＩ送信セルは、ＵＣＩを送信するためのＵＥ１０２とｅＮＢ１６０との間の通信チャネル１１９、１２１を含む。ＵＣＩ送信セルは、ＦＤＤセルまたはＴＤＤセルのいずれであってもよい。それゆえに、ＵＥ１０２は、ＦＤＤまたはＴＤＤセルのいずれかであるＵＣＩ送信セルを確定する（ステップ２０２）。いくつかの実装において、ＵＥ１０２は、ＵＣＩ送信セルを指示する、ｅＮＢ１６０から受信したインジケータに基づいてこの確定（ステップ２０２）を行う。
【０１１６】
１つの実装では、ＵＥは、ＵＣＩ送信セルがＦＤＤセルであることを確定する（ステップ２０２）。例えば、ＵＣＩ送信セルは、ＦＤＤを用いて設定されたマクロセルであるＰＣｅｌｌである。この実装では、ＵＣＩは、ハイブリッド多重ネットワークにおけるセル（例えば、ＦＤＤセルおよびＴＤＤセル）のすべてに関して１つのセル（例えば、ＰＣｅｌｌ）上でのみレポートされる。ＵＣＩは、ＰＣｅｌｌのＰＵＣＣＨ上でレポートされる。あるいは、ＵＣＩは、最小Ｃｅｌｌ＿ＩＤをもつ割り当てられたセルのＰＵＳＣＨ上でレポートされてもよい。
【０１１７】
別の実装では、ＵＥは、ＵＣＩ送信セルがＦＤＤレポーティング・セルであることを確定する（ステップ２０２）。例えば、ＰＣｅｌｌは、ＴＤＤセルであるが、ＵＣＩ送信セルは、ＦＤＤを用いて設定されたレポーティング・セルであることが確定される（ステップ２０２）。それゆえに、この実装では、ＵＣＩ送信セルは、ＦＤＤを用いて設定されたＳＣｅｌｌである。
【０１１８】
さらに別の実装では、ＵＥ１０２は、ＦＤＤセルのためのＵＣＩ送信セルを確定し（ステップ２０２）、かつＵＥ１０２は、ＴＤＤセルのための別個の第２のＵＣＩ送信セルも確定する（ステップ２０２）。例えば、ＦＤＤセルおよびＴＤＤセルは、独立したＵＣＩレポートを維持する。この実装では、ＵＥ１０２は、ＦＤＤアンカーセルがＦＤＤセルのためのＵＣＩ送信セルであることを確定する（ステップ２０２）。ＦＤＤアンカーセルは、ＰＣｅｌｌ、ＳＣｅｌｌまたはセカンダリＰＣｅｌｌであってもよい。ＵＥ１０２は、ＴＤＤアンカーセルがＴＤＤセルのための第２のＵＣＩ送信セルであることも確定する（ステップ２０２）。ＴＤＤアンカーセルは、ＰＣｅｌｌ、ＳＣｅｌｌまたはセカンダリＰＣｅｌｌであってもよい。
【０１１９】
ＵＥ１０２は、ＦＤＤおよびＴＤＤキャリアアグリゲーションのための第１セルを選択する（ステップ２０４）。例えば、ＵＥ１０２は、キャリアアグリゲーションのための第１セルとしてＦＤＤセルまたはＴＤＤセルを選択する（ステップ２０４）。第１セルは、ＰＣｅｌｌまたはＳＣｅｌｌであってもよい。加えて、第１セルは、ＵＣＩ送信セルと同じセルであってもよく、または第１セルは、ＵＣＩ送信セルと異なるセルであってもよい。いくつかの実装において、ＵＥ１０２は、ｅＮＢ１６０から受信した、ＦＤＤおよびＴＤＤキャリアアグリゲーションのための第１セルを指示するインジケータに基づいてこの選択（ステップ２０４）を行う。
【０１２０】
ＵＥ１０２は、ＵＣＩ送信セルの少なくとも１つのＵＣＩ送信上りリンク・サブフレームを指示する、第１セルに関わる下りリンク・サブフレーム・アソシエーションのセットを確定する（ステップ２０６）。下りリンク・サブフレーム・アソシエーションのセットは、図５、図６および図７と関連して以下に記載されるように、少なくとも１つの対応するＵＣＩ送信上りリンク・サブフレームのためのタイミング（例えば、ＰＤＳＣＨ  ＨＡＲＱ−ＡＣＫアソシエーション）を含む。いくつかの実装において、ＵＥ１０２は、下りリンク・サブフレーム・アソシエーションのセットを指示する、ｅＮＢ１６０から受信したインジケータに基づいてこの確定（ステップ２０６）を行う。
【０１２１】
１つの実装では、ＵＥ１０２は、第１セルに関わる下りリンク・アソシエーションのセットがＵＣＩ送信セルのＰＤＳＣＨアソシエーション・タイミングを含むことを確定する（ステップ２０６）。例えば、ＵＣＩ送信セルがＦＤＤセルであり、第１セルがＴＤＤセルであれば、第１セルは、ＦＤＤセルのアソシエーション・タイミングに従う。言い換えれば、ハイブリッド多重ネットワークにおけるＣＡに関わるＰＤＳＣＨ  ＨＡＲＱ−ＡＣＫレポーティングの際に、第１セルがＴＤＤセルであれば、第１セルは、ＦＤＤセルのアソシエーション・タイミングに従う。
【０１２２】
別の実装では、ＵＥ１０２は、第１セルに関わる下りリンク・サブフレーム・アソシエーションのセットが第１セルのＰＤＳＣＨアソシエーション・タイミングを維持することを含むことを確定する（ステップ２０６）。例えば、ＵＣＩ送信セルがＦＤＤセルであり、第１セルがＴＤＤセルであれば、第１セルは、それ自体のＰＤＳＣＨアソシエーション・タイミングを維持する。例として、第１セルは、図５および図６に関連して以下に記載されるようにＴＤＤ  ＵＬ−ＤＬ構成を用いる。
【０１２３】
この実装では、第１セルのＰＤＳＣＨ  ＨＡＲＱ−ＡＣＫビットは、ＵＣＩ送信セルにおけるＰＵＣＣＨまたはＰＵＳＣＨ上で多重されて、レポートされる。代わりに、ＦＤＤセルおよびＴＤＤセルは、それら自体のＰＤＳＣＨアソシエーション・タイミングによる独立したレポーティング・メカニズムを維持してもよい。
【０１２４】
ＵＥ１０２は、ＰＤＳＣＨ  ＨＡＲＱ−ＡＣＫ情報をＵＣＩ送信セルのＵＣＩ送信上りリンク・サブフレームで送信する（ステップ２０８）。例えば、ＵＥ１０２は、ＰＤＳＣＨ  ＨＡＲＱ−ＡＣＫ情報を下りリンク・サブフレーム・アソシエーションの確定された（ステップ２０６）セットに対応するＵＣＩ送信上りリンク・サブフレームで送信する（ステップ２０８）。
【０１２５】
１つの実装では、ＵＥ１０２は、ＰＤＳＣＨ  ＨＡＲＱ−ＡＣＫ情報を１つのセルのみのＰＵＣＣＨまたはＰＵＳＣＨ上で送信する（ステップ２０８）。例えば、ＵＣＩ送信セルがＦＤＤセルであり、第１セルがＴＤＤであり、第１セルに関わる下りリンク・サブフレーム・アソシエーションのセットがＵＣＩ送信セルのＰＤＳＣＨアソシエーション・タイミングを含む場合、ＵＥ１０２は、ＴＤＤセルに関するＰＤＳＣＨ  ＨＡＲＱ−ＡＣＫ情報をＦＤＤセルのＵＬ（例えば、ＰＵＣＣＨまたはＰＵＳＣＨ）で送信する（ステップ２０８）。ＦＤＤセル上のすべてのサブフレームでＤＬが利用できるため、ＴＤＤセル上のＰＤＳＣＨ  ＨＡＲＱ−ＡＣＫは、常に、ＦＤＤセルの対応するＵＬ上でレポートされる。
【０１２６】
ＵＣＩ送信セルがＦＤＤセルであり、第１セルがＴＤＤであるが、第１セルに関わる下りリンク・サブフレーム・アソシエーションのセットが第１セルのＰＤＳＣＨアソシエーション・タイミングを維持することを含む、別の実装では、ＵＥ１０２は、やはりＰＤＳＣＨ  ＨＡＲＱ−ＡＣＫ情報を１つのセルのみのＰＵＣＣＨまたはＰＵＳＣＨ上で送信する（ステップ２０８）。この実装では、セルごとのＰＤＳＣＨ  ＨＡＲＱ−ＡＣＫ情報は、それ自体のソシエーション・タイミングに基づいて生成される。例えば、ＴＤＤセルは、図５に関連して記載されるようなＴＤＤ  ＤＬ−ＵＬ構成に従い、ＦＤＤセルは、図７に関連して記載されるようなアソシエーション・タイミングを従う。それゆえに、第１セルに関するＰＤＳＣＨ  ＨＡＲＱ−ＡＣＫ情報は、第１セルのアソシエーション・タイミングに従って生成される。加えて、第１セルに関するＰＤＳＣＨ  ＨＡＲＱ−ＡＣＫ情報は、ＵＥ１０２によりＵＣＩ送信セルのＵＣＩ送信上りリンク・サブフレームで多重されて、送信される（ステップ２０８）。言い換えれば、ＵＥ１０２は、ＴＤＤセルに関するＰＤＳＣＨ  ＨＡＲＱ−ＡＣＫ情報をＦＤＤセルのＵＬ（例えば、ＰＵＣＣＨまたはＰＵＳＣＨ）で送信する（ステップ２０８）。
【０１２７】
ＦＤＤセルがＵＣＩ送信セルを有し、ＴＤＤセルが第２のＵＣＩ送信セルを有する、さらに別の実装では、ＵＥ１０２は、ＰＤＳＣＨ  ＨＡＲＱ−ＡＣＫ情報をＵＣＩ送信上りリンク・サブフレームで１つ以上のセルへ送信する（ステップ２０８）。例えば、上記のように、ＦＤＤセルおよびＴＤＤセルは、独立したＵＣＩレポートを維持する。この場合、ＦＤＤセルは、ＵＣＩ送信セル（例えば、ＦＤＤアンカーセル）を含み、ＴＤＤセルは、第２のＵＣＩ送信セル（例えば、ＴＤＤアンカーセル）を含む。複数のＰＵＣＣＨおよびＰＵＳＣＨがＦＤＤアンカーセルおよびＴＤＤアンカーセル上で同時にレポートされる。ＵＥ１０２は、ＦＤＤセルおよびＴＤＤセルに関するＰＤＳＣＨ  ＨＡＲＱ−ＡＣＫ情報をＵＣＩ送信セルまたは第２のＵＣＩ送信セルに対応するＵＣＩ送信上りリンク・サブフレームで同時に送信する（ステップ：２０８）。代わりに、ＦＤＤセルおよびＴＤＤセルの両方に関するＰＤＳＣＨ  ＨＡＲＱ−ＡＣＫ情報が１つのセル（例えば、ＰＣｅｌｌ）のＵＬ（例えば、ＰＵＣＣＨまたはＰＵＳＣＨ）で多重されて、送信されてもよい（ステップ：２０８）。
【０１２８】
図３は、ｅＮＢ１６０によってキャリアアグリゲーションを行うための方法３００の一実装を示すフロー図である。ｅＮＢ１６０は、少なくとも１つのＦＤＤセルおよび少なくとも１つのＴＤＤセルをもつワイヤレス通信ネットワークにおけるＵＣＩ送信セルを確定する（ステップ３０２）。例えば、ワイヤレス通信ネットワークは、１つ以上のＦＤＤセルおよび１つ以上のＴＤＤセルを用いてキャリアアグリゲーションが行われるハイブリッド多重ネットワークである。加えて、１つの実装では、ワイヤレス通信ネットワークは、ＬＴＥネットワークである。ＵＣＩは、ＰＤＳＣＨ  ＨＡＲＱ−ＡＣＫ情報およびＣＳＩのうちの１つ以上を含む。ＵＣＩ送信セルは、ＵＣＩを送信するためのｅＮＢ１６０とＵＥ１０２との間の通信チャネル１１９、１２１を含む。ＵＣＩ送信セルは、ＦＤＤセルまたはＴＤＤセルのいずれであってもよい。それゆえに、ｅＮＢ１６０は、ＦＤＤまたはＴＤＤセルのいずれかであるＵＣＩ送信セルを確定する（ステップ３０２）。いくつかの実装において、ｅＮＢ１６０は、ＵＣＩ送信セルを指示するこの確定（ステップ３０２）に基づいてインジケータを生成して送信する。
【０１２９】
１つの実装では、ＵＥは、ＵＣＩ送信セルがＦＤＤセルであることを確定する（ステップ３０２）。例えば、ＵＣＩ送信セルは、ＦＤＤを用いて設定されたマクロセルであるＰＣｅｌｌである。この実装では、ＵＣＩは、ハイブリッド多重ネットワークにおけるセル（例えば、ＦＤＤセルおよびＴＤＤセル）のすべてに関して１つのセル（例えば、ＰＣｅｌｌ）上でのみレポートされる。ＵＣＩは、ＰＣｅｌｌのＰＵＣＣＨ上でレポートされる。代わりに、ＵＣＩは、最小Ｃｅｌｌ＿ＩＤをもつ割り当てられたセルのＰＵＳＣＨ上でレポートされてもよい。
【０１３０】
別の実装では、ＵＥは、ＵＣＩ送信セルがＦＤＤレポーティング・セルであることを確定する（ステップ３０２）。例えば、ＰＣｅｌｌは、ＴＤＤセルであるが、ＵＣＩ送信セルは、ＦＤＤを用いて設定されたレポーティング・セルであることが確定される（ステップ３０２）。それゆえに、この実装では、ＵＣＩ送信セルは、ＦＤＤを用いて設定されたＳＣｅｌｌである。
【０１３１】
さらに別の実装では、ｅＮＢ１６０は、ＦＤＤセルのためのＵＣＩ送信セルを確定し（ステップ３０２）、ｅＮＢ１６０は、ＴＤＤセルのための別個の第２のＵＣＩ送信セルも確定する（ステップ３０２）。例えば、ＦＤＤセルおよびＴＤＤセルは、独立したＵＣＩレポートを維持する。この実装では、ｅＮＢ１６０は、ＦＤＤアンカーセルがＦＤＤセルのためのＵＣＩ送信セルであることを確定する（ステップ３０２）。ＦＤＤアンカーセルは、ＰＣｅｌｌ、ＳＣｅｌｌまたはセカンダリＰＣｅｌｌであってもよい。ｅＮＢ１６０は、ＴＤＤアンカーセルがＴＤＤセルのための第２のＵＣＩ送信セルであることも確定する（ステップ３０２）。ＴＤＤアンカーセルは、ＰＣｅｌｌ、ＳＣｅｌｌまたはセカンダリＰＣｅｌｌであってもよい。
【０１３２】
ｅＮＢ１６０は、ＦＤＤおよびＴＤＤキャリアアグリゲーションのための第１セルを選択する（ステップ３０４）。例えば、ｅＮＢ１６０は、キャリアアグリゲーションのための第１セルとしてＦＤＤセルまたはＴＤＤセルを選択する（ステップ３０４）。第１セルは、ＰＣｅｌｌまたはＳＣｅｌｌであってもよい。いくつか実装において、ｅＮＢ１６０は、ＦＤＤおよびＴＤＤキャリアアグリゲーションのための第１セルを指示するこの選択（ステップ３０４）に基づいてインジケータを生成して送信する。
【０１３３】
ｅＮＢ１６０は、ＵＣＩ送信セルの少なくとも１つのＵＣＩ送信上りリンク・サブフレームを指示する、第１セルに関わる下りリンク・サブフレーム・アソシエーションのセットを確定する（ステップ３０６）。下りリンク・サブフレーム・アソシエーションのセットは、図５、図６および図７と関連して以下に記載されるように、少なくとも１つの対応するＵＣＩ送信上りリンク・サブフレームのためのタイミング（例えば、アソシエーション・タイミング）を含む。いくつかの実装において、ｅＮＢ１６０は、下りリンク・サブフレーム・アソシエーションのセットを指示するこの確定（ステップ３０６）に基づいてインジケータを生成して送信する。
【０１３４】
１つの実装では、ｅＮＢ１６０は、第１セルに関わる下りリンク・アソシエーションのセットがＵＣＩ送信セルのＰＤＳＣＨアソシエーション・タイミングを含むことを確定する（ステップ３０６）。例えば、ＵＣＩ送信セルがＦＤＤセルであり、第１セルがＴＤＤセルであれば、第１セルは、ＦＤＤセルのアソシエーション・タイミングに従う。言い換えれば、ハイブリッド多重ネットワークにおけるＣＡに関わるＰＤＳＣＨ  ＨＡＲＱ−ＡＣＫレポーティングの際に、第１セルがＴＤＤセルであれば、第１セルは、ＦＤＤセルのアソシエーション・タイミングに従う。
【０１３５】
別の実装では、ｅＮＢ１６０は、第１セルに関わる下りリンク・サブフレーム・アソシエーションのセットが第１セルのＰＤＳＣＨアソシエーション・タイミングを維持することを含むことを確定する（ステップ３０６）。例えば、ＵＣＩ送信セルがＦＤＤセルであり、第１セルがＴＤＤセルであれば、第１セルは、それ自体のＰＤＳＣＨアソシエーション・タイミングを維持する。例として、第１セルは、図５および図６に関連して以下に記載されるようにＴＤＤ  ＵＬ−ＤＬ構成を用いる。
【０１３６】
この実装では、第１セルのＰＤＳＣＨ  ＨＡＲＱ−ＡＣＫビットは、ＵＣＩ送信セルにおけるＰＵＣＣＨまたはＰＵＳＣＨ上で多重されて、報告される。代わりに、ＦＤＤセルおよびＴＤＤセルは、それら自体のＰＤＳＣＨアソシエーション・タイミングによる独立したレポーティング・メカニズムを維持してもよい。
【０１３７】
ｅＮＢ１６０は、ＰＤＳＣＨ  ＨＡＲＱ−ＡＣＫ情報をＵＣＩ送信セルのＵＣＩ送信上りリンク・サブフレームで受信する（ステップ３０８）。例えば、ｅＮＢ１６０は、ＰＤＳＣＨ  ＨＡＲＱ−ＡＣＫ情報を下りリンク・サブフレーム・アソシエーションの確定された（ステップ３０６）セットに対応するＵＣＩ送信上りリンク・サブフレームで受信する（ステップ３０８）。
【０１３８】
１つの実装では、ｅＮＢ１６０は、ＰＤＳＣＨ  ＨＡＲＱ−ＡＣＫ情報を１つのセルのみのＰＵＣＣＨまたはＰＵＳＣＨ上で受信する（ステップ３０８）。例えば、ＵＣＩ送信セルがＦＤＤセルであり、第１セルがＴＤＤであり、第１セルに関わる下りリンク・サブフレーム・アソシエーションのセットがＵＣＩ送信セルのＰＤＳＣＨアソシエーション・タイミングを含む場合、ｅＮＢ１６０は、ＴＤＤセルに関するＰＤＳＣＨ  ＨＡＲＱ−ＡＣＫ情報をＦＤＤセルのＵＬ（例えば、ＰＵＣＣＨまたはＰＵＳＣＨ）で受信する（ステップ３０８）。ＦＤＤセル上のすべてのサブフレームでＤＬが利用できるため、ＴＤＤセル上のＰＤＳＣＨ  ＨＡＲＱ−ＡＣＫは、常に、ＦＤＤセルの対応するＵＬ上でレポートされる。
【０１３９】
ＵＣＩ送信セルがＦＤＤセルであり、第１セルがＴＤＤであるが、第１セルに関わる下りリンク・サブフレーム・アソシエーションのセットが第１セルのＰＤＳＣＨアソシエーション・タイミングを維持することを含む、別の実装では、ｅＮＢ１６０は、ＰＤＳＣＨ  ＨＡＲＱ−ＡＣＫ情報をやはり１つのセルのみのＰＵＣＣＨまたはＰＵＳＣＨ上で受信する（ステップ３０８）。この実装では、セルごとのＰＤＳＣＨ  ＨＡＲＱ−ＡＣＫ情報は、それ自体のソシエーション・タイミングに基づいて生成される。例えば、ＴＤＤセルは、図５に関連して記載されるようなＴＤＤ  ＤＬ−ＵＬ構成に従い、ＦＤＤセルは、図７に関連して記載されるようなアソシエーション・タイミングに従う。それゆえに、第１セルに関するＰＤＳＣＨ  ＨＡＲＱ−ＡＣＫ情報は、第１セルのアソシエーション・タイミングに従って生成される。加えて、第１セルに関するＰＤＳＣＨ  ＨＡＲＱ−ＡＣＫ情報は、ｅＮＢ１６０によりＵＣＩ送信セルのＵＣＩ送信上りリンク・サブフレームで多重されて、受信される（ステップ３０８）。言い換えれば、ｅＮＢ１６０は、ＴＤＤセルに関するＰＤＳＣＨ  ＨＡＲＱ−ＡＣＫ情報をＦＤＤセルのＵＬ（例えば、ＰＵＣＣＨまたはＰＵＳＣＨ）で受信する（ステップ３０８）。
【０１４０】
ＦＤＤセルがＵＣＩ送信セルを有し、ＴＤＤセルが第２のＵＣＩ送信セルを有する、さらに別の実装では、ｅＮＢ１６０は、ＰＤＳＣＨ  ＨＡＲＱ−ＡＣＫ情報を１つ以上のセルへのＵＣＩ送信上りリンク・サブフレームで受信する（ステップ３０８）。例えば、上記のように、ＦＤＤセルおよびＴＤＤセルは、独立したＵＣＩレポートを維持する。この場合、ＦＤＤセルは、ＵＣＩ送信セル（例えば、ＦＤＤアンカーセル）を含み、ＴＤＤセルは、第２のＵＣＩ送信セル（例えば、ＴＤＤアンカーセル）を含む。複数のＰＵＣＣＨおよびＰＵＳＣＨがＦＤＤアンカーセルおよびＴＤＤアンカーセル上で同時にレポートされる。ｅＮＢ１６０は、ＦＤＤセルおよびＴＤＤセルに関するＰＤＳＣＨ  ＨＡＲＱ−ＡＣＫ情報をＵＣＩ送信セルまたは第２のＵＣＩ送信セルに対応するＵＣＩ送信上りリンク・サブフレームで同時に受信する（ステップ：３０８）。代わりに、ＦＤＤセルおよびＴＤＤセルの両方に関するＰＤＳＣＨ  ＨＡＲＱ−ＡＣＫ情報が１つのセル（例えば、ＰＣｅｌｌ）のＵＬ（例えば、ＰＵＣＣＨまたはＰＵＳＣＨ）で多重されて、受信されてもよい（ステップ：３０８）。
【０１４１】
図４は、本明細書に開示されるシステムおよび方法に従って用いられる無線フレーム４３５の一例を示す図である。この無線フレーム４３５構造はＴＤＤ構造を示す。各無線フレーム４３５は、
Ｔｆ＝３０７２００・Ｔｓ＝１０
ｍｓの長さを有し、ここでＴｆは無線フレーム４３５の継続時間であり、Ｔｓは、
１／（１５０００×２０４８）
秒に等しい時間単位である。無線フレーム４３５は、
１５３６００・Ｔｓ＝５
ｍｓの長さをそれぞれが有する２つのハーフフレーム４３３を含む。各ハーフフレーム４３３は、
３０７２０・Ｔｓ＝１
ｍｓの長さをそれぞれが有する５つのサブフレーム４２３ａ〜ｅ、４２３ｆ〜ｊを含む。
【０１４２】
（３ＧＰＰ  ＴＳ３６．２１１における表４．２−２からの）下の表（１）にＴＤＤ  ＵＬ−ＤＬ構成０〜６が示される。下りリンクから上りリンクへの切り替えポイント周期が５ミリ秒（ｍｓ）および１０ｍｓの両方のＵＬ−ＤＬ構成がサポートされる。特に、下の表（１）に示されるように、３ＧＰＰ仕様では７つのＵＬ−ＤＬ構成が指定される。表（１）では、「Ｄ」は下りリンク・サブフレームを示し、「Ｓ」はスペシャルサブフレームを示し、「Ｕ」はＵＬサブフレームを示す。
【表１】
0006271535.tif 000002
【０１４３】
上の表（１）では、無線フレームにおけるサブフレームごとに、「Ｄ」は、サブフレームが下りリンク送信のために予約されていることを示し、「Ｕ」は、サブフレームが上りリンク送信のために予約されていることを示し、「Ｓ」は、３つのフィールド、すなわち、下りリンク・パイロット時間スロット（ＤｗＰＴＳ：ｄｏｗｎｌｉｎｋ  ｐｉｌｏｔ  ｔｉｍｅ  ｓｌｏｔ）、ガード期間（ＧＰ：ｇｕａｒｄ  ｐｅｒｉｏｄ）および上りリンク・パイロット時間スロット（ＵｐＰＴＳ：ｕｐｌｉｎｋ  ｐｉｌｏｔ  ｔｉｍｅ  ｓｌｏｔ）をもつスペシャルサブフレームを示す。ＤｗＰＴＳおよびＵｐＰＴＳの長さは、ＤｗＰＴＳ、ＧＰおよびＵｐＰＴＳの全長が
３０７２０・Ｔｓ＝１
ｍｓに等しいことを前提として、（３ＧＰＰ  ＴＳ３６．２１１の表４．２−１からの）表（２）に示される。表（２）では、便宜上、「サイクリックプレフィックス」は「ＣＰ：ｃｙｃｌｉｃ  ｐｒｅｆｉｘ」と略記され、「構成」は「Ｃｏｎｆｉｇ：ｃｏｎｆｉｇｕｒａｔｉｏｎ」と略記される。
【表２】
0006271535.tif 000003
【０１４４】
下りリンクから上りリンクへの切り替えポイント周期が５ｍｓおよび１０ｍｓの両方のＵＬ−ＤＬ構成がサポートされる。下りリンクから上りリンクへの切り替えポイント周期が５ｍｓの場合、スペシャルサブフレームが両方のハーフフレームに存在する。下りリンクから上りリンクへの切り替えポイント周期が１０ｍｓの場合には、スペシャルサブフレームが第１のハーフフレームのみに存在する。サブフレーム０および５ならびにＤｗＰＴＳは、下りリンク送信のために予約される。ＵｐＰＴＳおよびスペシャルサブフレームのすぐ後に続くサブフレームは、上りリンク送信のために予約される。
【０１４５】
本明細書に開示されるシステムおよび方法に従って、用いられるサブフレーム４２３のいくつかのタイプは、下りリンク・サブフレーム、上りリンク・サブフレームおよびスペシャルサブフレーム４３１を含む。図４に示される５ｍｓ周期を有する例では、無線フレーム４３５に２つの標準スペシャルサブフレーム４３１ａ〜ｂが含まれる。
【０１４６】
第１のスペシャルサブフレーム４３１ａは、下りリンク・パイロット時間スロット（ＤｗＰＴＳ）４２５ａ、ガード期間（ＧＰ）４２７ａおよび上りリンク・パイロット時間スロット（ＵｐＰＴＳ）４２９ａを含む。この例では、第１の標準スペシャルサブフレーム４３１ａは、サブフレームｏｎｅ４２３ｂに含まれる。第２の標準スペシャルサブフレーム４３１ｂは、下りリンク・パイロット時間スロット（ＤｗＰＴＳ）４２５ｂ、ガード期間（ＧＰ）４２７ｂおよび上りリンク・パイロット時間スロット（ＵｐＰＴＳ）４２９ｂを含む。この例では、第２の標準スペシャルサブフレーム４３１ｂは、サブフレームｓｉｘ４２３ｇに含まれる。ＤｗＰＴＳ４２５ａ〜ｂおよびＵｐＰＴＳ４２９ａ〜ｂの長さは、ＤｗＰＴＳ４２５、ＧＰ４２７およびＵｐＰＴＳ４２９の各セットの全長が
３０７２０・Ｔｓ＝１
ｍｓに等しいことを前提として、（上の表（５）に示される）３ＧＰＰ  ＴＳ３６．２１１の表４．２−１によって示される。
【０１４７】
各サブフレームｉ４２３ａ〜ｊ（この例では、ｉは、サブフレームｚｅｒｏ４２３ａ（例えば０）からサブフレームｎｉｎｅ４２３ｊ（例えば９）に及ぶサブフレームを示す）は、各サブフレーム４２３における長さが
Ｔｓｌｏｔ＝１５３６０・Ｔｓ＝０．５
ｍｓの２つのスロット、２ｉおよび２ｉ＋１として定義される。例えば、サブフレームｚｅｒｏ（例えば０）４２３ａは、第１のスロットを含めて、２つのスロットを含む。
【０１４８】
本明細書に開示されるシステムおよび方法に従って、下りリンクから上りリンクへの切り替えポイント周期が５ｍｓおよび１０ｍｓの両方のＵＬ−ＤＬ構成が用いられる。図４は、切り替えポイント周期が５ｍｓの無線フレーム４３５の一例を示す。下りリンクから上りリンクへの切り替えポイント周期が５ｍｓの場合、各ハーフフレーム４３３が標準スペシャルサブフレーム４３１ａ〜ｂを含む。下りリンクから上りリンクへの切り替えポイント周期が１０ｍｓの場合には、スペシャルサブフレームが第１のハーフフレーム４３３のみに存在する。
【０１４９】
サブフレームｚｅｒｏ（例えば０）４２３ａおよびサブフレームｆｉｖｅ（例えば５）４２３ｆならびにＤｗＰＴＳ４２５ａ〜ｂは、下りリンク送信のために予約される。ＵｐＰＴＳ４２９ａ〜ｂおよびスペシャルサブフレーム（単数または複数）４３１ａ〜ｂのすぐ後に続くサブフレーム（単数または複数）（例えば、サブフレームｔｗｏ４２３ｃおよびサブフレームｓｅｖｅｎ４２３ｈ）は、上りリンク送信のために予約される。留意すべきは、いくつかの実装において、ＵＣＩ送信セルのＵＣＩ送信上りリンク・サブフレームを指示するＤＬサブフレーム・アソシエーションのセットを確定するために、スペシャルサブフレーム４３１がＤＬサブフレームと見做されることである。
【０１５０】
図５は、本明細書に記載されるシステムおよび方法に従って、いくつかのＴＤＤ  ＵＬ−ＤＬ構成５３７ａ〜ｇを示す図である。特に、図５は、サブフレーム５２３ａおよびサブフレーム番号５３９ａをもつＵＬ−ＤＬ構成ｚｅｒｏ５３７ａ（例えば、「ＵＬ−ＤＬ構成０」）、サブフレーム５２３ｂおよびサブフレーム番号５３９ｂをもつＵＬ−ＤＬ構成ｏｎｅ５３７ｂ（例えば、「ＵＬ−ＤＬ構成１」）、サブフレーム５２３ｃおよびサブフレーム番号５３９ｃをもつＵＬ−ＤＬ構成ｔｗｏ５３７ｃ（例えば、「ＵＬ−ＤＬ構成２」）、ならびにサブフレーム５２３ｄおよびサブフレーム番号５３９ｄをもつＵＬ−ＤＬ構成ｔｈｒｅｅ５３７ｄ（例えば、「ＵＬ−ＤＬ構成３」）を示す。図５は、サブフレーム５２３ｅおよびサブフレーム番号５３９ｅをもつＵＬ−ＤＬ構成ｆｏｕｒ５３７ｅ（例えば、「ＵＬ−ＤＬ構成４」）、サブフレーム５２３ｆおよびサブフレーム番号５３９ｆをもつＵＬ−ＤＬ構成ｆｉｖｅ５３７ｆ（例えば、「ＵＬ−ＤＬ構成５」）、ならびにサブフレーム５２３ｇおよびサブフレーム番号５３９ｇをもつＵＬ−ＤＬ構成ｓｉｘ５３７ｇ（例えば、「ＵＬ−ＤＬ構成６」）も示す。
【０１５１】
図５は、ＰＤＳＣＨ  ＨＡＲＱ−ＡＣＫアソシエーション５４１（例えば、ＰＵＣＣＨまたはＰＵＳＣＨ上のＰＤＳＣＨ  ＨＡＲＱ−ＡＣＫフィードバック・アソシエーション）をさらに示す。ＰＤＳＣＨ  ＨＡＲＱ−ＡＣＫアソシエーション５４１は、ＰＤＳＣＨ送信のためのサブフレーム（例えば、ＰＤＳＣＨ送信が送られるか、および／または受信されるサブフレーム）に対応するＨＡＲＱ−ＡＣＫレポーティング・サブフレームを示す。図５に示される無線フレームのいくつかは、便宜上、切り詰められていることに留意すべきである。
【０１５２】
本明細書に開示されるシステムおよび方法は、図５に示されるＵＬ−ＤＬ構成５３７ａ〜ｇのうちの１つ以上に適用される。例えば、図５に示されるＵＬ−ＤＬ構成５３７ａ〜ｇのうちの１つに対応する１つ以上のＰＤＳＣＨ  ＨＡＲＱ−ＡＣＫアソシエーション５４１がＵＥ１０２とｅＮＢ１６０との間の通信に適用される。例えば、ＵＬ−ＤＬ構成５３７がＰＣｅｌｌに確定される（例えば、割り当てられる、適用される）。この場合、ＰＤＳＣＨ  ＨＡＲＱ−ＡＣＫアソシエーション５４１は、ＰＣｅｌｌに対応するＨＡＲＱ−ＡＣＫフィードバック送信のためのＰＤＳＣＨ  ＨＡＲＱ−ＡＣＫタイミング（例えば、ＨＡＲＱ−ＡＣＫレポーティング・サブフレーム）を指定する。ＳＣｅｌｌ  ＨＡＲＱ−ＡＣＫフィードバック送信に関しては、フィードバックパラメータに従って参照ＵＬ−ＤＬ構成に対応するＰＤＳＣＨ  ＨＡＲＱ−ＡＣＫアソシエーション５４１が利用される。
【０１５３】
ＰＤＳＣＨ  ＨＡＲＱ−ＡＣＫアソシエーション５４１は、ＰＤＳＣＨに対応するＨＡＲＱ−ＡＣＫ情報を受信するための特定の（ＰＤＳＣＨ  ＨＡＲＱ−ＡＣＫ）タイミングを指定する。ＰＤＳＣＨ  ＨＡＲＱ−ＡＣＫアソシエーション５４１は、ＵＥ１０２がＰＤＳＣＨに対応するＨＡＲＱ−ＡＣＫ情報をｅＮＢ１６０にレポートするレポーティング・サブフレームを指定する。レポーティング・サブフレームは、ｅＮＢ１６０により送信されたＰＤＳＣＨを含むサブフレームに基づいて確定される。
【０１５４】
図６は、ＵＬ−ＤＬ構成ｏｎｅ６３７をもつＴＤＤセルのアソシエーション・タイミングの具体的な実装を示す。図６は、サブフレーム６２３およびサブフレーム番号６３９をもつＵＬ−ＤＬ構成ｏｎｅ６３７（例えば、「ＵＬ−ＤＬ構成１」）を示す。ＰＤＳＣＨ  ＨＡＲＱ−ＡＣＫアソシエーション６４１、ＰＵＳＣＨスケジューリング６４３およびＰＵＳＣＨ  ＨＡＲＱ−ＡＣＫアソシエーション６４５が示される。ＰＤＳＣＨ  ＨＡＲＱ−ＡＣＫアソシエーション６４１は、ＰＤＳＣＨ送信のためのサブフレーム（例えば、ＰＤＳＣＨ送信が送られるか、および／または受信されるサブフレーム）に対応するＨＡＲＱ−ＡＣＫレポーティング・サブフレームを示す。１つの実装では、ＰＤＳＣＨ  ＨＡＲＱ−ＡＣＫレポーティングは、ＰＵＣＣＨまたはＰＵＳＣＨ上で生じる。ＰＵＳＣＨ  ＨＡＲＱ−ＡＣＫアソシエーション６４５は、ＰＵＳＣＨ送信のためのサブフレーム（例えば、ＰＵＳＣＨ送信が送られるか、および／または受信されるサブフレーム）に対応するＨＡＲＱ−ＡＣＫレポーティング・サブフレームを示す。別の実装では、ＰＵＳＣＨ  ＨＡＲＱ−ＡＣＫレポーティングは、ＰＨＩＣＨまたはＰＤＣＣＨ上で生じる。さらに別の実装では、ＰＵＳＣＨスケジューリング６４３は、別のセルからのＵＬグラントまたはＰＨＩＣＨ（もしくはｅＰＨＩＣＨ）フィードバックによるスケジューリングを含む。
【０１５５】
図５に関連して上述されたように、７つの異なるＴＤＤ  ＵＬ−ＤＬ構成５３７ａ〜ｇがあり、すべてが異なるアソシエーション・タイミングをもつ。そのうえ、複数の異なるＴＤＤ  ＵＬ−ＤＬ構成によるバンド間ＴＤＤ  ＣＡを用いると、１つのＴＤＤセルのアソシエーション・タイミングは、参照ＴＤＤ  ＵＬ−ＤＬ構成のタイミングに従う。そのうえ、複数の異なるＴＤＤ  ＵＬ−ＤＬ構成によるＴＤＤ  ＣＡでは、ＰＤＳＣＨ  ＨＡＲＱ−ＡＣＫタイミングは、１つの参照ＴＤＤ  ＵＬ−ＤＬ構成に従い、ＰＵＳＣＨスケジューリングおよびＨＡＲＱ−ＡＣＫタイミングは、別の参照ＴＤＤ  ＵＬ−ＤＬ構成に従う。これらの参照構成は、同じことも異なることもある。
【０１５６】
図７は、ＦＤＤセルのアソシエーション・タイミングを示す。ＦＤＤセルは、対をなす下りリンク・サブフレーム７４７および上りリンク・サブフレーム７４９を含む。ＰＤＳＣＨ  ＨＡＲＱ−ＡＣＫアソシエーション７４１、ＰＵＳＣＨスケジューリング７４３およびＰＵＳＣＨ  ＨＡＲＱ−ＡＣＫアソシエーション７４５が示される。ＰＤＳＣＨ  ＨＡＲＱ−ＡＣＫアソシエーション７４１は、ＰＤＳＣＨ送信のためのサブフレーム（例えば、ＰＤＳＣＨ送信が送られるか、および／または受信されるサブフレーム）に対応するＨＡＲＱ−ＡＣＫレポーティング・サブフレームを示す。いくつかの実装において、ＰＤＳＣＨ  ＨＡＲＱ−ＡＣＫレポーティングは、ＰＵＣＣＨまたはＰＵＳＣＨ上で生じる。ＰＵＳＣＨ  ＨＡＲＱ−ＡＣＫアソシエーション７４５は、ＰＵＳＣＨ送信のためのサブフレーム（例えば、ＰＵＳＣＨ送信が送られるか、および／または受信されるサブフレーム）に対応するＨＡＲＱ−ＡＣＫレポーティング・サブフレームを示す。いくつかの実装において、ＰＵＳＣＨ  ＨＡＲＱ−ＡＣＫレポーティングは、ＰＨＩＣＨまたはＰＤＣＣＨ上で生じる。いくつかの実装において、ＰＵＳＣＨスケジューリング７４３は、別のセルからのＵＬグラントまたはＰＨＩＣＨ（もしくはｅＰＨＩＣＨ）フィードバックによるスケジューリングを含む。
【０１５７】
ＰＤＳＣＨ  ＨＡＲＱ−ＡＣＫアソシエーション７４１、ＰＵＳＣＨスケジューリング７４３およびＰＵＳＣＨ  ＨＡＲＱ−ＡＣＫアソシエーション７４５に一定の４ｍｓ間隔が適用される。例えば、下りリンク・サブフレーム７４７および上りリンク・サブフレーム７４９は、それぞれが１ｍｓである。それゆえに、サブフレームｍ＋４でのＰＤＳＣＨ  ＨＡＲＱ−ＡＣＫ送信は、サブフレームｍでのＰＤＳＣＨ送信と関連付けられる。サブフレームｎでのＰＵＳＣＨ送信は、サブフレームｎ−４でのＰＵＳＣＨスケジューリング７４３と関連付けられる。そのうえ、サブフレームｎ＋４でのＰＵＳＣＨ  ＨＡＲＱ−ＡＣＫ送信は、サブフレームｎでのＰＵＳＣＨ送信と関連付けられる。例えば、ＦＤＤセルに関しては、ＰＤＳＣＨおよびＰＵＳＣＨタイミングの両方に一定の４ｍｓが適用できる。
【０１５８】
図８は、ＵＥ１０２によってアグリゲーションを行うための方法８００のより具体的な実装を示すフロー図である。これは、例えば、図２に関連して上述されたように達成される。ＵＥ１０２は、少なくとも１つのＦＤＤセルおよび少なくとも１つのＴＤＤセルをもつワイヤレス通信ネットワークにおけるＵＣＩ送信セルを確定する（ステップ８０２）。例えば、ワイヤレス通信ネットワークは、１つ以上のＦＤＤセルおよび１つ以上のＴＤＤセルを用いてキャリアアグリゲーションが行われるハイブリッド多重ネットワークである。ＵＣＩ送信セルは、ＦＤＤセルまたはＴＤＤセルのいずれであってもよい。
【０１５９】
１つの実装では、ＵＥ１０２は、ＵＣＩ送信セルがＦＤＤセルまたはＴＤＤセルであることを確定する（ステップ８０２）。これは、図２に関連して上述されたように達成される。例えば、ＵＣＩ送信セルは、ＦＤＤを用いて設定されたマクロセルであるＰＣｅｌｌである。この実装では、ＵＣＩは、ハイブリッド多重ネットワークにおけるセル（例えば、ＦＤＤセルおよびＴＤＤセル）のすべてに関して１つのセル（例えば、ＰＣｅｌｌ）上でのみレポートされる。例として、ＵＣＩは、ＰＣｅｌｌのＰＵＣＣＨ上でレポートされる。
【０１６０】
ＵＥ１０２は、ＦＤＤおよびＴＤＤキャリアアグリゲーションのための第１セルを選択する（ステップ８０４）。これは、例として、図２に関連して上述されるように達成される。例えば、ＵＥ１０２は、キャリアアグリゲーションのための第１セルとしてＴＤＤセルを選択する（ステップ８０４）。
【０１６１】
ＵＥ１０２は、第１セルに関わるＰＤＳＣＨスケジューリングを確定する（ステップ８０６）。例えば、ＰＤＳＣＨセルフスケジューリングを用いると、第１セルに対するＰＤＳＣＨ送信は、同じサブフレーム（例えば、同じ送信時間間隔（ＴＴＩ））における第１セル上の対応するＰＤＣＣＨ（またはｅＰＤＣＣＨ）によって、または下りリンク・セミパーシステント・スケジューリング（ＳＰＳ）リリースを指示する同じサブフレームにおける第１セル上のＰＤＣＣＨ（またはｅＰＤＣＣＨ）に対して指示される。
【０１６２】
クロスキャリアスケジューリングを用いると、第１セル上のＰＤＳＣＨ送信は、別のセル上のＰＤＣＣＨ（もしくはｅＰＤＣＣＨ）によってスケジュールされる。例えば、スケジューリング・セルがＦＤＤセル（例えば、ＰＣｅｌｌ）であり、第１セルがＴＤＤセルであれば、ＰＤＳＣＨスケジューリングは、スケジューリング・セル・タイミングに従う。一方、スケジューリング・セルがＴＤＤセルであり、第１セルがＦＤＤセルであれば、ＰＤＳＣＨ送信は、例えば、スケジューリングＴＤＤセル上にＤＬが割り当てられたサブフレームにおいてクロスキャリアスケジュールされる。
【０１６３】
ＵＥ１０２は、第１セルに関わるＰＵＳＣＨスケジューリング６４３、７４３およびＰＵＳＣＨ  ＨＡＲＱ−ＡＣＫアソシエーション６４５、７４５を確定する（ステップ８０８）。例えば、ＰＵＳＣＨセルフスケジューリングのために、ｅＮＢ１６０は、下りリンク制御情報（ＤＣＩ）フォーマット０／４をもつＰＤＣＣＨ（もしくはｅＰＤＣＣＨ）および／または第１セル上のＰＨＩＣＨ（もしくはｅＰＨＩＣＨ）送信を、ＵＥ１０２を対象としたＤＬサブフレームにおいてスケジュールする。ＵＥ１０２は、ＰＤＣＣＨ（もしくはｅＰＤＣＣＨ）およびＰＨＩＣＨ（もしくはｅＰＨＩＣＨ）情報に基づいてサブフレームｎ＋ｋでの対応するＰＵＳＣＨ送信を調整し、ここでＦＤＤに対してｋは４であり、３ＧＰＰ  ＴＳ３６．２１３における表８．３−１によれば、ｋは、ＴＤＤセルのＴＤＤ  ＵＬ−ＤＬ構成によって（例えば、基づいて）決定される。ＰＵＳＣＨ  ＨＡＲＱ−ＡＣＫレポートは、対応するＰＵＳＣＨ  ＨＡＲＱ−ＡＣＫアソシエーション６４５、７４５に従って、第１セル上のＰＨＩＣＨ（もしくはｅＰＨＩＣＨ）またはＰＤＣＣＨ（もしくはｅＰＤＣＣＨ）によりＰＵＳＣＨ送信と関連付けられる。
【０１６４】
クロスキャリアスケジューリングを用いると、第１セルに関わるＰＵＳＣＨスケジューリング６４３、７４３およびＰＵＳＣＨ  ＨＡＲＱ−ＡＣＫアソシエーション６４５、７４５は、スケジューリング・セル・タイミングに基づいて確定される（ステップ８０８）。例えば、セル上のＰＵＳＣＨ送信は、別のセル（例えば、スケジューリング・セル）からのＵＬグラントまたはＰＨＩＣＨ（もしくはｅＰＨＩＣＨ）フィードバックによってスケジュールされる。ハイブリッド多重ネットワークに伴って、スケジューリング・セルがＦＤＤセルであり、スケジュールされるセルがＴＤＤセルであれば、ＰＵＳＣＨ送信は、クロスキャリアスケジュールされる。
【０１６５】
１つの実装では、スケジューリングＦＤＤセルのすべてのサブフレームにＵＬが割り当てられるため、スケジュールされるＴＤＤセルは、常に、ＦＤＤセルのＰＵＳＣＨスケジューリング７４３およびＰＵＳＣＨ  ＨＡＲＱ−ＡＣＫアソシエーション７４５を用いてクロスキャリアスケジュールされる。例えば、ＴＤＤセルをクロスキャリアスケジュールするために、（図７に関連して示されるような）ＦＤＤセルの一定の４ｍｓのＰＵＳＣＨスケジューリング７４３およびＰＵＳＣＨ  ＨＡＲＱ−ＡＣＫアソシエーション７４５が用いられる。
【０１６６】
一方、スケジューリング・セルがＴＤＤセルであり、第１セル（例えば、スケジュールされるセル）がＦＤＤセルであれば、第１セルは、ＰＵＳＣＨスケジューリング６４３およびＰＵＳＣＨ  ＨＡＲＱ−ＡＣＫアソシエーション６４５におけるスケジューリング・セル・タイミングに従う。しかし、ＴＤＤスケジューリング・セルにＤＬ割り当てをもつサブフレームは、スケジュールされるＦＤＤセル上にＰＵＳＣＨ送信をスケジュールするができない。例えば、第１セルがＦＤＤセルであれば、第１セルは、ＰＵＳＣＨスケジューリング７４３およびＰＵＳＣＨ  ＨＡＲＱ−ＡＣＫアソシエーション７４５に関わる８ｍｓの一定のターンアラウンド時間を有する。しかしながら、ＴＤＤ  ＵＬ−ＤＬ構成５３７ａ〜ｇは、少なくとも１０ｍｓのターンアラウンド時間を有する。それゆえに、スケジューリング・セルがＴＤＤセルであり、スケジュールされるセル（例えば、第１セル）がＦＤＤセルであるとき、クロスキャリアスケジューリングに関わるＰＵＳＣＨスケジューリングおよびＰＵＳＣＨ  ＨＡＲＱ−ＡＣＫアソシエーションにはＦＤＤセル・タイミング（例えば、ＰＵＳＣＨスケジューリング７４３およびＰＵＳＣＨ  ＨＡＲＱ−ＡＣＫアソシエーション７４５）を適用することができない。
【０１６７】
加えて、第１セルは、クロスキャリアＰＵＳＣＨスケジューリング６４３、７４３およびＰＵＳＣＨ  ＨＡＲＱ−ＡＣＫアソシエーション６４５、７４５のための参照セルであってもよい。例えば、ＰＣｅｌｌがＴＤＤセルであり、第１セルがＦＤＤセルであれば、クロスキャリアＰＵＳＣＨスケジューリング７４３およびＰＵＳＣＨ  ＨＡＲＱ−ＡＣＫアソシエーション７４５のための参照セルとして第１セルが設定されてもよい。
【０１６８】
ＵＥ１０２は、ＵＣＩ送信セルの少なくとも１つのＵＣＩ送信上りリンク・サブフレームを指示する、第１セルに関わる下りリンク・サブフレーム・アソシエーションのセットを確定する（ステップ８１０）。これは、例えば、図２に関連して上述されたように達成される。下りリンク・サブフレーム・アソシエーションのセットは、少なくとも１つの対応するＵＣＩ送信上りリンク・サブフレームのためのタイミング（例えば、ＰＤＳＣＨ  ＨＡＲＱ−ＡＣＫアソシエーション６４１、７４１）を含む。これは、図２に関連して上述されたように達成される。例えば、ＵＥ１０２は、第１セルに関わる下りリンク・アソシエーションのセットがＵＣＩ送信セルのＰＤＳＣＨ  ＨＡＲＱ−ＡＣＫアソシエーション６４１、７４１を含むことを確定する（ステップ８１０）。ＵＣＩ送信セルがＦＤＤセルであり、第１セルがＴＤＤセルであれば、第１セルは、ＦＤＤを用いて設定されたＵＣＩ送信セルのＰＤＳＣＨ  ＨＡＲＱ−ＡＣＫアソシエーション７４１に従う。
【０１６９】
ＵＥ１０２は、ＰＤＳＣＨ  ＨＡＲＱ−ＡＣＫ情報をＵＣＩ送信セルのＵＣＩ送信上りリンク・サブフレームで送信する（ステップ８１２）。これは、例として、図２に関連して上述されたように達成される。例えば、ＵＣＩ送信セルがＦＤＤセルであり、第１セルがＴＤＤであり、第１セルに関わる下りリンク・サブフレーム・アソシエーションのセットがＵＣＩ送信セルのＰＤＳＣＨアソシエーション・タイミングを含む場合、ＵＥ１０２は、ＴＤＤセルに関するＰＤＳＣＨ  ＨＡＲＱ−ＡＣＫ情報をＦＤＤセルのＵＬ（例えば、ＰＵＣＣＨまたはＰＵＳＣＨ）で送信する（ステップ８１２）。
【０１７０】
図９は、ｅＮＢ１６０によってキャリアアグリゲーションを行うための方法９００のより具体的な実装を示すフロー図である。ｅＮＢ１６０は、少なくとも１つのＦＤＤセルおよび少なくとも１つのＴＤＤセルをもつワイヤレス通信ネットワークにおけるＵＣＩ送信セルを確定する（ステップ９０２）。これは、例として、図３に関連して上述されたように達成される。例えば、ワイヤレス通信ネットワークは、１つ以上のＦＤＤセルおよび１つ以上のＴＤＤセルを用いてキャリアアグリゲーションが行われるハイブリッド多重ネットワークである。ＵＣＩ送信セルは、ＦＤＤセルまたはＴＤＤセルのいずれであってもよい。
【０１７１】
１つの実装では、ｅＮＢ１６０は、ＵＣＩ送信セルがＦＤＤセルまたはＴＤＤセルであることを確定する（ステップ９０２）。これは、例として、図２に関連して上述されたように達成される。例えば、ＵＣＩ送信セルは、ＦＤＤを用いて設定されたマクロセルであるＰＣｅｌｌである。この実装では、ＵＣＩは、ハイブリッド多重ネットワークにおけるセル（例えば、ＦＤＤセルおよびＴＤＤセル）のすべてに関して１つのセル（例えば、ＰＣｅｌｌ）上でのみレポートされる。例として、ＵＣＩは、ＰＣｅｌｌのＰＵＣＣＨ上でレポートされる。
【０１７２】
ｅＮＢ１６０は、ＦＤＤおよびＴＤＤキャリアアグリゲーションのための第１セルを選択する（ステップ９０４）。これは、例として、図３に関連して上述されたように達成される。例えば、ｅＮＢ１６０は、キャリアアグリゲーションのための第１セルとしてＴＤＤセルを選択する（ステップ９０４）。
【０１７３】
ｅＮＢ１６０は、第１セルに関わるＰＤＳＣＨスケジューリングを確定する（ステップ９０６）。例えば、ＰＤＳＣＨセルフスケジューリングを用いると、第１セルに対するＰＤＳＣＨ送信は、第１セル上の同じサブフレーム（例えば、同じ送信時間間隔（ＴＴＩ））に対応するＰＤＣＣＨ（またはｅＰＤＣＣＨ）によって、または下りリンク・セミパーシステント・スケジューリング（ＳＰＳ）リリースを指示する第１セル上の同じサブフレームにおけるＰＤＣＣＨ（もしくはｅＰＤＣＣＨ）に対して指示される。
【０１７４】
クロスキャリアスケジューリングを用いると、第１セル上のＰＤＳＣＨ送信は、別のセル上のＰＤＣＣＨ（もしくはｅＰＤＣＣＨ）によってスケジュールされる。例えば、スケジューリング・セルがＦＤＤセルであり、スケジュールされるリングセルがＴＤＤセルであれば、ＰＤＳＣＨスケジューリングは、スケジューリング・セル・タイミングに従う。一方、スケジューリング・セルがＴＤＤセルであり、スケジュールされるセルがＦＤＤセルであれば、ＰＤＳＣＨ送信は、例えば、スケジューリングＴＤＤセル上にＤＬが割り当てられたサブフレームにおいてクロスキャリアスケジュールされる。
【０１７５】
ｅＮＢ１６０は、第１セルに関わるＰＵＳＣＨスケジューリング６４３、７４３およびＰＵＳＣＨ  ＨＡＲＱ−ＡＣＫアソシエーション６４５、７４５を確定する（ステップ９０８）。例えば、ＰＵＳＣＨセルフスケジューリングのために、ｅＮＢ１６０は、下りリンク制御情報（ＤＣＩ）フォーマット０／４をもつＰＤＣＣＨ（もしくはｅＰＤＣＣＨ）、および／または第１セル上のＰＨＩＣＨ（もしくはｅＰＨＩＣＨ）送信を、ＵＥ１０２を対象としたＤＬサブフレームにおいてスケジュールする。ＵＥ１０２は、ＰＤＣＣＨ（もしくはｅＰＤＣＣＨ）およびＰＨＩＣＨ（もしくはｅＰＨＩＣＨ）情報に基づいてサブフレームｎ＋ｋでの対応するＰＵＳＣＨ送信を調整し、ここでＦＤＤに対してｋは４であり、３ＧＰＰ  ＴＳ３６．２１３における表８．３−１によれば、ｋは、ＴＤＤセルのＴＤＤ  ＵＬ−ＤＬ構成により決定される。ＰＵＳＣＨ  ＨＡＲＱ−ＡＣＫレポートは、対応するＰＵＳＣＨ  ＨＡＲＱ−ＡＣＫアソシエーション６４５、７４５に従って、第１セル上のＰＨＩＣＨ（もしくはｅＰＨＩＣＨ）またはＰＤＣＣＨ（もしくはｅＰＤＣＣＨ）によりＰＵＳＣＨ送信と関連付けられる。
【０１７６】
クロスキャリアスケジューリングを用いると、第１セルに関わるＰＵＳＣＨスケジューリング６４３、７４３およびＰＵＳＣＨ  ＨＡＲＱ−ＡＣＫアソシエーションは、スケジューリング・セル・タイミングに基づいて確定される（ステップ９０８）。例えば、セル上のＰＵＳＣＨ送信は、別のセル（例えば、スケジューリング・セル）からのＵＬグラントまたはＰＨＩＣＨ（もしくはｅＰＨＩＣＨ）フィードバックによってスケジュールされる。ハイブリッド多重ネットワークに伴って、スケジューリング・セルがＦＤＤセルであり、スケジュールされるセルがＴＤＤセルであれば、ＰＵＳＣＨ送信は、クロスキャリアスケジュールされる。
【０１７７】
１つの実装では、スケジューリングＦＤＤセルのすべてのサブフレームにＵＬが割り当てられるため、スケジュールされるＴＤＤセルは、常に、ＦＤＤセルのＰＵＳＣＨスケジューリング７４３およびＰＵＳＣＨ  ＨＡＲＱ−ＡＣＫアソシエーション７４５を用いてクロスキャリアスケジュールされる。例えば、ＴＤＤセルをクロスキャリアスケジュールするために、（図７に関連して示されるような）ＦＤＤセルの一定の４ｍｓのＰＵＳＣＨスケジューリング７４３およびＰＵＳＣＨ  ＨＡＲＱ−ＡＣＫアソシエーション７４５が用いられる。
【０１７８】
一方、スケジューリング・セルがＴＤＤセルであり、第１セル（例えば、スケジュールされるセル）がＦＤＤセルであれば、第１セルは、ＰＵＳＣＨスケジューリング６４３およびＰＵＳＣＨ  ＨＡＲＱ−ＡＣＫアソシエーション６４５におけるスケジューリング・セル・タイミングに従う。しかし、ＴＤＤスケジューリング・セルにＤＬ割り当てをもつサブフレームは、スケジュールされるＦＤＤセル上にＰＵＳＣＨ送信をスケジュールすることができない。例えば、第１セルがＦＤＤセルであれば、第１セルは、ＰＵＳＣＨスケジューリング７４３およびＰＵＳＣＨ  ＨＡＲＱ−ＡＣＫアソシエーション７４５に関わる８ｍｓの一定のターンアラウンド時間を有する。しかしながら、ＴＤＤ  ＵＬ−ＤＬ構成５３７ａ〜ｇは、少なくとも１０ｍｓのターンアラウンド時間を有する。それゆえに、スケジューリング・セルがＴＤＤセルであり、スケジュールされるセル（例えば、第１セル）がＦＤＤセルであるとき、クロスキャリアスケジューリングに関わるＰＵＳＣＨスケジューリングおよびＰＵＳＣＨ  ＨＡＲＱ−ＡＣＫアソシエーションにはＦＤＤセル・タイミング（例えば、ＰＵＳＣＨスケジューリング７４３およびＰＵＳＣＨ  ＨＡＲＱ−ＡＣＫアソシエーション７４５）を適用することができない。
【０１７９】
加えて、第１セルは、クロスキャリアＰＵＳＣＨスケジューリング６４３、７４３およびＰＵＳＣＨ  ＨＡＲＱ−ＡＣＫアソシエーション６４５、７４５のための参照セルであってもよい。例えば、ＰＣｅｌｌがＴＤＤセルであり、第１セルがＦＤＤセルであれば、クロスキャリアＰＵＳＣＨスケジューリング７４３およびＰＵＳＣＨ  ＨＡＲＱ−ＡＣＫアソシエーション７４５のための参照セルとして第１セルが設定されてもよい。
【０１８０】
ｅＮＢ１６０は、ＵＣＩ送信セルの少なくとも１つのＵＣＩ送信上りリンク・サブフレームを指示する、第１セルに関わる下りリンク・サブフレーム・アソシエーションのセットを確定する（ステップ９１０）。下りリンク・サブフレーム・アソシエーションのセットは、少なくとも１つの対応するＵＣＩ送信上りリンク・サブフレームのためのタイミング（例えば、ＰＤＳＣＨ  ＨＡＲＱ−ＡＣＫアソシエーション６４１、７４１）を含む。これは、例として、図３に関連して上述されたように達成される。例えば、ｅＮＢ１６０は、第１セルに関わる下りリンク・アソシエーションのセットがＵＣＩ送信セルのＰＤＳＣＨ  ＨＡＲＱ−ＡＣＫアソシエーション６４１、７４１を含むことを確定する（ステップ９１０）。ＵＣＩ送信セルがＦＤＤセルであり、第１セルがＴＤＤセルであれば、第１セルは、ＦＤＤを用いて設定されたＵＣＩ送信セルのＰＤＳＣＨ  ＨＡＲＱ−ＡＣＫアソシエーション７４１に従う。
【０１８１】
ｅＮＢ１６０は、ＰＤＳＣＨ  ＨＡＲＱ−ＡＣＫ情報をＵＣＩ送信セルのＵＣＩ送信上りリンク・サブフレームで受信する（ステップ９１２）。これは、例として、図３に関連して上述されたように達成される。例えば、ＵＣＩ送信セルがＦＤＤセルであり、第１セルがＴＤＤであり、第１セルに関わる下りリンク・サブフレーム・アソシエーションのセットがＵＣＩ送信セルのＰＤＳＣＨアソシエーション・タイミングを含む場合、ｅＮＢ１６０は、ＴＤＤセルに関するＰＤＳＣＨ  ＨＡＲＱ−ＡＣＫ情報をＦＤＤセルのＵＬ（例えば、ＰＵＣＣＨまたはＰＵＳＣＨ）で受信する（ステップ９１２）。
【０１８２】
図１０は、ＵＥ１００２において利用される様々なコンポーネントを示す。図１０に関連して記載されるＵＥ１００２は、図１に関連して記載されたＵＥ１０２に従って実装される。ＵＥ１００２は、ＵＥ１００２のオペレーションを制御するプロセッサ１０６３を含む。プロセッサ１０６３は、中央処理装置（ＣＰＵ：ｃｅｎｔｒａｌ  ｐｒｏｃｅｓｓｉｎｇ  ｕｎｉｔ）とも呼ばれる。メモリ１０６９は、リードオンリメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、これら２つの組み合わせ、あるいは情報を記憶する任意のタイプのデバイスを含み、プロセッサ１０６３に命令１０６５ａおよびデータ１０６７ａを供給する。メモリ１０６９の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）も含んでよい。命令１０６５ｂおよびデータ１０６７ｂは、プロセッサ１０６３にも存在する。プロセッサ１０６３に読み込まれた命令１０６５ｂおよび／またはデータ１０６７ｂは、プロセッサ１０６３による実行または処理のために読み込まれた、メモリ１０６９からの命令１０６５ａおよび／またはデータ１０６７ａも含んでよい。命令１０６５ｂは、上記の方法２００および８００の１つ以上を実装するためにプロセッサ１０６３によって実行される。
【０１８３】
ＵＥ１００２は、データの送受信を可能にするための１つ以上の送信機１０５８および１つ以上の受信機１０２０が入った筺体も含む。送信機（単数または複数）１０５８および受信機（単数または複数）１０２０は、１つ以上のトランシーバ１０１８に組み合わされてもよい。１つ以上のアンテナ１０２２ａ〜ｎは、筺体に取り付けられて、トランシーバ１０１８に電気的に結合される。
【０１８４】
ＵＥ１００２の様々なコンポーネントは、データバスに加えて、電力バス、制御信号バスおよびステータス信号バスを含む、バスシステム１０７１によって結合される。しかしながら、明確さのために、図１０では様々なバスがバスシステム１０７１として示される。ＵＥ１００２は、信号処理用のデジタル信号プロセッサ（ＤＳＰ：ｄｉｇｉｔａｌ  ｓｉｇｎａｌ  ｐｒｏｃｅｓｓｏｒ）１０７３も含んでよい。ＵＥ１００２は、ＵＥ１００２の機能へのユーザ・アクセスを提供する通信インターフェース１０７５も含んでよい。図１０に示されるＵＥ１００２は、具体的なコンポーネントのリスティングではなく、機能ブロック図である。
【０１８５】
図１１は、ｅＮＢ１１６０において利用される様々なコンポーネントを示す。図１１に関連して記載されるｅＮＢ１１６０は、図１に関連して記載されたｅＮＢ１６０に従って実装される。ｅＮＢ１１６０は、ｅＮＢ１１６０のオペレーションを制御するプロセッサ１１７７を含む。プロセッサ１１７７は、中央処理装置（ＣＰＵ）とも呼ばれる。メモリ１１８３は、リードオンリメモリ（ＲＯＭ）、ランダムアクセスメモリ（ＲＡＭ）、これら２つの組み合わせ、あるいは情報を記憶する任意のタイプのデバイスを含み、プロセッサ１１７７に命令１１７９ａおよびデータ１１８１ａを供給する。メモリ１１８３の一部分は、不揮発性ランダムアクセスメモリ（ＮＶＲＡＭ）も含んでよい。命令１１７９ｂおよびデータ１１８１ｂは、プロセッサ１１７７にも存在する。プロセッサ１１７７に読み込まれた命令１１７９ｂおよび／またはデータ１１８１ｂは、プロセッサ１１７７による実行または処理のために読み込まれた、メモリ１１８３からの命令１１７９ａおよび／または１１８１ａも含む。命令１１７９ｂは、上記の方法３００および９００の１つ以上を実装するためにプロセッサ１１７７によって実行される。
【０１８６】
ｅＮＢ１１６０は、データの送受信を可能にするための１つ以上の送信機１１１７および１つ以上の受信機１１７８が入った筺体も含む。送信機（単数または複数）１１１７および受信機（単数または複数）１１７８は、１つ以上のトランシーバ１１７６に組み合わされてもよい。１つ以上のアンテナ１１８０ａ〜ｎは、筺体に取り付けられて、トランシーバ１１７６に電気的に結合される。
【０１８７】
ｅＮＢ１１６０の様々なコンポーネントは、データバスに加えて、電力バス、制御信号バスおよびステータス信号バスを含む、バスシステム１１８５によって結合される。しかしながら、明確さのために、図１１では様々なバスがバスシステム１１８５として示される。ｅＮＢ１１６０は、信号処理用のデジタル信号プロセッサ（ＤＳＰ）１１８７も含んでよい。ｅＮＢ１１６０は、ｅＮＢ１１６０の機能へのユーザ・アクセスを提供する通信インターフェース１１８９も含んでよい。図１１に示されるｅＮＢ１１６０は、具体的なコンポーネントのリスティングではなく、機能ブロック図である。
【０１８８】
図１２は、キャリアアグリゲーションを行うためのシステムおよび方法が実装されたＵＥ１２０２の一構成を示すブロック図である。ＵＥ１２０２は、送信手段１２５８、受信手段１２２０および制御手段１２２４を含む。送信手段１２５８、受信手段１２２０および制御手段１２２４は、上の図２、図８および図１０に関連して記載された機能の１つ以上を行うように構成される。上の図１０は、図１２の具体的な装置構造の一例を示す。図２、図８および図１０の機能の１つ以上を実現するために、他の様々な構造が実装されてもよい。例えば、ＤＳＰがソフトウェアによって実現されてもよい。
【０１８９】
図１３は、キャリアアグリゲーションを行うためのシステムおよび方法が実装されたｅＮＢ１３６０の一構成を示すブロック図である。ｅＮＢ１３６０は、送信手段１３１７、受信手段１３７８および制御手段１３８２を含む。送信手段１３１７、受信手段１３７８および制御手段１３８２は、上の図３、図９および図１１に関連して記載された機能の１つ以上を行うように構成される。上の図１１は、図１３の具体的な装置構造の一例を示す。図３、図９および図１１の機能の１つ以上を実現するために、他の様々な構造が実装されてもよい。例えば、ＤＳＰがソフトウェアによって実現されてもよい。
【０１９０】
用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは命令の形態の所望のプログラムコードまたはデータ構造を載せるか、または記憶するために用いることができ、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０１９１】
留意すべきは、本明細書に記載される方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ）、大規模集積回路（ＬＳＩ）または集積回路などで実装されてもよく、および／またはそれらを用いて実現されてもよい。
【０１９２】
本明細書に開示されるそれぞれの方法は、記載される方法を達成するための１つ以上のステップまたは動作を備える。本方法のステップおよび／または動作は、特許請求の範囲から逸脱することなく、相互に交換されてもよく、および／または単一のステップに組み合わされてもよい。言い換えれば、記載される方法の適切なオペレーションのためにステップまたは動作の特定の順序が必要とされない限り、特許請求の範囲から逸脱することなく、特定のステップおよび／または動作の順序および／または使用が修正されてもよい
【０１９３】
当然のことながら、特許請求の範囲は、上に示された通りの構成および構成要素には限定されない。特許請求の範囲から逸脱することなく、本明細書に記載される配置、オペレーション、ならびにシステム、方法、および装置の詳細に様々な修正、変更および変形がなされてもよい。
【図１】
0006271535.tif 000004
【図２】
0006271535.tif 000005
【図３】
0006271535.tif 000006
【図４】
0006271535.tif 000007
【図５】
0006271535.tif 000008
【図６】
0006271535.tif 000009
【図７】
0006271535.tif 000010
【図８】
0006271535.tif 000011
【図９】
0006271535.tif 000012
【図１０】
0006271535.tif 000013
【図１１】
0006271535.tif 000014
【図１２】
0006271535.tif 000015
【図１３】
0006271535.tif 000016